(57)【要約】製品の品質保証期間をモニタリングする方法、システム、スキャン装置、端末及びエンコーダが本出願で開示されている。製品の品質保証期間をモニタリングする方法は、製品のタグをスキャンして、製品のタグの識別子及び識別子に対応する製品保証期間を取得することと、識別子が新規の識別子であることに応じて、タグがスキャンされた初期時間を記録することと、識別子、製品品質保証期間及び初期時間を端末に送信して、端末が品質保証期間のモニタリングを行うことを可能にすることとを含む。本出願は、識別子、製品の品質保証期間及びタグ、ならびにタグをスキャンする初期時間の対応関係に基づいて、製品の品質保証期間をリアルタイムでモニタリングすることを実装する。その操作は単純であり、正確な時間モニタリングを自動的に提供するため、ユーザの経験を向上させる。
2018527539.tif 000002
【特許請求の範囲】
【請求項１】
スキャン装置で製品の品質保証期間をモニタリングする方法であって、
製品のタグをスキャンし、前記タグの識別子及び前記識別子に対応する製品品質保証期間を取得することと、
前記識別子が新規の識別子であることに応じて、前記タグがスキャンされた初期時間を記録することと、
前記識別子、前記製品品質保証期間及び前記初期時間を端末に送信して、前記製品品質保証期間及び前記初期時間に基づいて、前記端末が品質保証期間のモニタリングを行うことを可能にすることと、を備える、前記方法。
【請求項２】
前記識別子、前記製品品質保証期間及び前記初期時間を前記端末に送信後、
前記端末から照明命令を受信することと、
前記タグに付いている照明ユニットを制御して、前記照明命令にしたがって光を生成することと、をさらに備える、請求項１に記載の方法。
【請求項３】
前記識別子、前記製品品質保証期間及び前記初期時間を前記端末に送信後、
対応する収容装置の製品のタグを定期的にスキャンすることと、
現在のスキャンされた識別子一覧を前記端末に送信することと、をさらに備える、請求項１または２に記載の方法。
【請求項４】
前記識別子、前記製品品質保証期間及び前記初期時間を前記端末に送信後、
対応する収容装置の製品のタグを定期的にスキャンすることと、
記録されたことのある識別子（複数可）がスキャン中見つからなかった場合、前記記録されたことのある識別子（複数可）及び第１のステータスを前記端末に送信することと、をさらに備える、請求項１または２に記載の方法。
【請求項５】
前記記録されたことのある識別子（複数可）及び前記第１のステータスを前記端末に送信後、
記録済み識別子がスキャン中再び見つかった場合、前記記録済み識別子及び第２のステータスを前記端末に送信することをさらに備える、請求項４に記載の方法。
【請求項６】
前記対応する収容装置の前記製品の前記タグを定期的にスキャン後、
記録済み識別子がスキャン中見つからなかった場合、スキャンステータスを「更新」ステータスとラベリングすることをさらに備える、請求項１〜５のいずれか一項に記載の方法。
【請求項７】
端末で製品の品質保証期間をモニタリングする方法であって、
スキャン装置から送信された識別子、製品の品質保証期間及び初期時間を受信することであって、前記スキャン装置は、前記製品のタグをスキャンして、前記タグの前記識別子及び前記識別子に対応する前記製品の前記品質保証期間を取得し、前記識別子が新規の識別子であることに応じて、前記タグがスキャンされた前記初期時間を記録する、前記受信することと、
前記製品の前記品質保証期間及び前記初期時間に基づいて、前記品質保証期間をモニタリングすることと、を備える、前記方法。
【請求項８】
前記品質保証期間をモニタリングすることが、
前記初期時間及び前記識別子に対応する前記製品の前記品質保証期間に基づいてカウントダウン計算を行うことと、
前記カウントダウン計算の計算結果が予め設定された閾値に達すると、前記識別子に基づいて、前記タグが付けられた前記製品が前記品質保証期間に達したことをユーザにリマインドすることとを備える、請求項７に記載の方法。
【請求項９】
前記カウントダウン計算が、以下の式、Ｔs＝Ｔc＋Ｌ−Ｔdを用いるものであり、前記Ｔｓは残り時間を表し、前記Ｔcは前記初期時間を表し、前記Ｌは前記製品の前記品質保証期間を表し、前記Ｔdは現在の時間を表す、請求項８に記載の方法。
【請求項１０】
前記製品の前記品質保証期間及び前記初期時間に基づいて、前記品質保証期間をモニタリングした後で、
品質保証期間のモニタリング結果に基づいて、品質保証期間の統計一覧を生成し表示することをさらに備える、請求項７〜９のいずれか一項に記載の方法。
【請求項１１】
前記スキャン装置と通信していない期間が、予め設定された継続時間より長いという検出に応じて、ユーザにプロンプトを提供することをさらに備える、請求項７〜１０のいずれか一項に記載の方法。
【請求項１２】
前記スキャン装置から送信された前記識別子、前記製品の前記品質保証期間及び前記初期時間を受信した後で、
収容装置の製品を選択するユーザの操作及びその識別子に基づいて、照明命令を前記スキャン装置に送信することをさらに備える、請求項７〜１１のいずれか一項に記載の方法。
【請求項１３】
前記製品の前記品質保証期間を設定するユーザの操作に応じて、前記製品の前記品質保証期間を設定する命令をエンコーダに送信することをさらに備える、請求項７〜１２のいずれか一項に記載の方法。
【請求項１４】
前記製品の前記品質保証期間を設定する前記命令が、前記タグの色と前記製品の前記品質保証期間の対応関係を備える、請求項１３に記載の方法。
【請求項１５】
前記製品の前記品質保証期間及び前記初期時間に基づいて前記品質保証期間をモニタリングした後で、
前記スキャン装置によって送信された現在のスキャンされた識別子一覧を受信することと、
履歴的に保存された識別子一覧を前記現在のスキャンされた識別子一覧と比較し、前記履歴的に保存された識別子一覧に出現しているが前記現在のスキャンされた識別子一覧にはない識別子を第１のステータスとラベリングすることと、
前記識別子及び前記第１のステータスに基づいて、対応するタグに対するカウントダウン計算を中止することと、をさらに含む、請求項８〜１４のいずれか一項に記載の方法。
【請求項１６】
前記識別子及び前記第１のステータスに基づいて、前記対応するタグに対する前記カウントダウン計算を中止した後で、
前記履歴的に保存された識別子一覧を前記現在のスキャンされた識別子一覧と比較し、前記現在のスキャンされた識別子一覧に再出現しておりかつ前記第１のステータスとラベリングされた前記識別子を第２のステータスとラベリングすることと、
前記識別子及び前記第２のステータスに基づいて、前記対応するタグに対する前記カウントダウン計算を続行することと、をさらに備える、請求項１５に記載の方法。
【請求項１７】
前記製品の前記品質保証期間及び前記初期時間に基づいて、前記品質保証期間をモニタリングすることが、
記録されている識別子（複数可）及び第１のステータスを前記スキャン装置から受信することと、
前記記録済み識別子（複数可）を前記第１のステータスとラベリングすることと、
前記記録済み識別子（複数可）及び前記第１のステータスに基づいて、対応するタグ（複数可）に対するカウントダウン計算（複数可）を中止することと、をさらに備える、請求項８〜１４のいずれか一項に記載の方法。
【請求項１８】
前記記録済み識別子（複数可）及び前記第１のステータスに基づいて、前記対応するタグ（複数可）に対する前記カウントダウン計算（複数可）を中止した後で、
記録済み識別子及び第２のステータスを前記スキャン装置から受信することと、
前記記録済み識別子を前記第２のステータスとラベリングすることと、
前記記録済み識別子及び前記第２のステータスに基づいて、対応するタグに対するカウントダウン計算を続行することと、をさらに備える、請求項１７に記載の方法。
【請求項１９】
前記スキャン装置と通信したときに前記スキャン装置のタグスキャンステータスを取得することと、
前記タグスキャンステータスが「更新」ステータスであるときに、前記スキャン装置に、更新済みデータを送信するように要求することと、をさらに備える、請求項７〜１７のいずれか一項に記載の方法。
【請求項２０】
エンコーダで製品の品質保証期間をモニタリングする方法であって、
新規の識別子を各タグに割り当てて、
スキャン装置が、製品のタグをスキャンして前記タグの識別子及び前記識別子に対応する製品品質保証期間を取得することを可能にし、
前記識別子が新規の識別子であるとき、前記スキャン装置が、前記タグがスキャンされた初期時間を記録することを可能にし、
前記スキャン装置が、前記識別子、前記製品品質保証期間および前記初期時間を端末に送信することを可能にし、
前記端末が、前記製品品質保証期間及び前記初期時間に基づいて、前記品質保証期間のモニタリングを行うことを可能にすることを備える、前記方法。
【請求項２１】
前記端末から前記製品品質保証期間を設定する命令を受信することと、
前記製品品質保証期間を設定する前記命令に基づいて、前記タグに対して、前記識別子に対応する前記製品品質保証期間を設定することと、をさらに備える、請求項２０に記載の方法。
【請求項２２】
少なくとも２つのタグが異なる色を有し、
異なる製品品質保証が、異なる色のタグに対して設定され、
前記製品品質保証期間を設定する前記命令が、色と前記製品品質保証期間の対応関係を含み、
前記製品品質保証期間を設定する前記命令に基づいて、前記タグに対して、前記識別子に対応する前記製品品質保証期間を設定することが、前記製品品質保証期間を設定する前記命令にしたがって、前記タグに対して、前記識別子に対応する前記製品品質保証期間及び前記タグの色を設定することを含む、請求項２１に記載の方法。
【請求項２３】
製品の品質保証期間をモニタリングするスキャン装置であって、
製品のタグをスキャンして、前記タグの識別子及び前記タグに対応する製品品質保証期間を取得するように構成された第１のモジュールと、
前記識別子が新規の識別子であるとき、前記タグがスキャンされた初期時間を記録するように構成された第３のモジュールと、
前記識別子、前記製品品質保証期間及び前記初期時間を端末に送信して、前記端末が、前記製品品質保証期間及び前記初期時間に基づいて、品質保証期間のモニタリングを行うことを可能にするように構成された第５のモジュールと、を備える、前記スキャン装置。
【請求項２４】
前記タグが電子タグであり、前記第１のモジュールがＲＦＩＤ読取りモジュールを用いる、請求項２３に記載のスキャン装置。
【請求項２５】
前記端末から照明命令を受信するように構成された第７のモジュールと、
前記タグが付けられた照明ユニットを制御して、前記照明命令にしたがって、光を生成するように構成された第９のモジュールと、をさらに備える、請求項２３または２４に記載のスキャン装置。
【請求項２６】
前記第１のモジュールが、さらに、収容装置の製品のタグを定期的にスキャンするように構成されており、
前記スキャン装置が、さらに、現在のスキャンされた識別子一覧を前記端末に送信するように構成された第１１のモジュールを含む、請求項２３〜２５のいずれか一項に記載のスキャン装置。
【請求項２７】
前記第１のモジュールが、さらに、収容装置の製品のタグを定期的にスキャンするように構成されており、
前記スキャン装置が、さらに、記録済み識別子（複数可）がスキャン中見つからなかった場合、前記記録済み識別子（複数可）及び第１のステータスを前記端末に送信するように構成された第１３のモジュールを含む、請求項２３〜２５のいずれか一項に記載のスキャン装置。
【請求項２８】
前記第１３のモジュールが、さらに、スキャンによって記録済み識別子を再度発見したことに応じて、前記記録済み識別子及び第２のステータスを送信するように構成された、請求項２７に記載のスキャン装置。
【請求項２９】
スキャン中、記録済み識別子が発見されなかった場合、タグスキャンステータスを「更新」ステータスとラベリングする第１５のモジュールをさらに備える、請求項２３〜２８のいずれか一項に記載のスキャン装置。
【請求項３０】
製品の品質保証期間をモニタリングする端末であって、
スキャン装置から送信された識別子、製品の品質保証期間及び初期時間を受信するように構成された第２のモジュールであって、前記スキャン装置は、前記製品のタグをスキャンして、前記タグの前記識別子及び前記識別子に対応する前記製品の前記品質保証期間を取得し、前記識別子が新規の識別子であることに応じて、前記タグがスキャンされた初期時間を記録する、前記第２のモジュールと、
前記製品の前記品質保証期間及び前記初期時間に基づいて、前記品質保証期間をモニタリングするように構成された第４のモジュールと、を備える、前記端末。
【請求項３１】
前記第４のモジュールが、前記初期時間及び前記識別子に対応する前記製品の前記品質保証期間に基づいて、カウントダウン計算を行い、前記カウントダウン計算の計算結果が予め設定された閾値に達したことに応じて、前記識別子に基づいて、前記タグが付けられた前記製品が前記品質保証期間に達したことをユーザにリマインドするように構成された、請求項３０に記載の端末。
【請求項３２】
以下の式、Ｔs＝Ｔc＋Ｌ−Ｔdが前記カウントダウン計算に用いられるものであり、前記Ｔsは残り時間を表し、前記Ｔcは前記初期時間を表し、前記Ｌは前記製品の前記品質保証期間を表し、前記Ｔdは現在の時間を表す、請求項３１に記載の端末。
【請求項３３】
品質保証期間のモニタリング結果に基づいて、品質保証期間の統計一覧を生成し表示するように構成された第６のモジュールをさらに備える、請求項３０〜３２のいずれか一項に記載の端末。
【請求項３４】
前記スキャン装置と通信していない期間が、予め設定された継続時間より長いという検出に応じて、ユーザにプロンプトを提供するように構成された第８のモジュールをさらに備える、請求項３０〜３３のいずれか一項に記載の端末。
【請求項３５】
収容装置の前記製品を選択する前記ユーザの操作及び前記識別子に基づいて、照明命令を前記スキャン装置に送信するように構成された第１０のモジュールをさらに備える、請求項３０〜３４のいずれか一項に記載の端末。
【請求項３６】
前記製品の前記品質保証期間を設定する前記ユーザの操作に応じて、前記製品の前記品質保証期間を設定する命令をエンコーダに送信するように構成された第１２のモジュールをさらに備える、請求項３０〜３５のいずれか一項に記載の端末。
【請求項３７】
前記製品の前記品質保証期間を設定する前記命令が、前記タグの色と前記製品の前記品質保証期間の対応関係を含む、請求項３６に記載の端末。
【請求項３８】
前記スキャン装置から送信された現在のスキャンされた識別子一覧を受信するように構成された第１４のモジュールと、
履歴的に保存された識別子一覧を前記現在のスキャンされた識別子一覧と比較し、前記履歴的に保存された識別子一覧に出現しているが前記現在のスキャンされた識別子一覧にはない識別子（複数可）を第１のステータスとラベリングするように構成された第１６のモジュールと、
前記識別子（複数可）及び前記第１のステータスに基づいて、対応するタグ（複数可）に対するカウントダウン計算（複数可）を中止するように構成された第１８のモジュールと、をさらに備える、請求項３０〜３７のいずれか一項に記載の端末。
【請求項３９】
前記第１６のモジュールが、さらに、前記履歴的に保存された識別子一覧を前記現在のスキャンされた識別子一覧と比較し、前記現在のスキャンされた識別子一覧に再出現しておりかつ前記第１のステータスとラベリングされた識別子を、第２のステータスとラベリングするように構成され、
前記第１８のモジュールが、さらに、前記識別子及び前記第２のステータスに基づいて、対応するタグに対するカウントダウン計算を続行するように構成された、請求項３８に記載の端末。
【請求項４０】
記録されている識別子（複数可）及び第１のステータスを前記スキャン装置から受信するように構成された第２０のモジュールと、
前記記録済み識別子（複数可）を前記第１のステータスとラベリングするように構成された第２２のモジュールと、
前記記録済み識別子（複数可）及び前記第１のステータスに基づいて、対応するタグ（複数可）に対するカウントダウン計算（複数可）を中止するように構成された第２４のモジュールと、をさらに備える、請求項３０〜３７のいずれか一項に記載の端末。
【請求項４１】
前記第２０のモジュールが、さらに、記録済み識別子及び第２のステータスを前記スキャン装置から受信するように構成され、
前記第２２のモジュールが、さらに、前記記録済み識別子を前記第２のステータスとラベリングするように構成され、
前記第２４のモジュールが、さらに、前記記録済み識別子及び前記第２のステータスに基づいて、対応するタグに対するカウントダウン計算を続行するように構成された、請求項４０に記載の端末。
【請求項４２】
前記スキャン装置と通信を行うと、前記スキャン装置のタグスキャンステータスを取得するように構成された第２６のモジュールと、
前記タグスキャンステータスが「更新」ステータスであるとき、前記スキャン装置に、更新済みデータを送信するように要求するように構成された第２８のモジュールと、をさらに備える、請求項３０〜４１のいずれか一項に記載の端末。
【請求項４３】
製品の品質保証期間をモニタリングするエンコーダであって、
新規の識別子を各タグに割り当てて、
スキャン装置が、製品のタグをスキャンして、前記タグの識別子及び前記識別子に対応する製品品質保証期間を得ることを可能にし、
前記識別子が新規の識別子であるとき、前記スキャン装置が、前記タグがスキャンされた初期時間を記録することを可能にし、
前記スキャン装置が、前記識別子、前記製品品質保証期間及び前記初期時間を端末に送信することを可能にし、
前記端末が、前記製品品質保証期間及び前記初期時間に基づいて、前記品質保証期間のモニタリングを行うことを可能にするように構成された第３１のモジュールを備える、前記エンコーダ。
【請求項４４】
前記端末から前記製品品質保証期間を設定する命令を受信するように構成された第３２のモジュールと、
前記製品品質保証期間を設定する前記命令に基づいて、前記タグに対して、前記識別子に対応する前記製品品質保証期間を設定するように構成された第３３のモジュールと、をさらに備える、請求項４３に記載のエンコーダ。
【請求項４５】
少なくとも２つのタグが異なる色を有し、異なる製品品質保証期間が、異なる色のタグに対して設定され、前記製品品質保証期間を設定する前記命令が、色と前記製品品質保証期間の対応関係を含んでおり、
前記第３３のモジュールが、前記製品品質保証期間を設定する前記命令に応じて、前記タグに対して、前記識別子に対応する前記製品品質保証期間及び前記タグの色を設定するように構成された、請求項４４に記載のエンコーダ。
【請求項４６】
請求項４３〜４５のいずれか一項に記載のエンコーダであって、前記エンコーダが、同一の色のタグを配置するのに各々が用いられる複数の収容キャビティを備え、各収容キャビティのそれぞれの色が、タグの色に対応しており、
前記第３３のモジュールが、製品品質保証期間を設定する命令にしたがって、識別子に個々に対応するそれぞれの製品品質保証期間及び前記タグの色を用いて、各収容キャビティでタグを個々に設定するように構成された、前記エンコーダ。
【請求項４７】
請求項２３〜２９のいずれか一項の前記スキャン装置、及び請求項３０〜４２のいずれか一項の前記端末を備える、製品の品質保証期間をモニタリングするシステム。
【請求項４８】
請求項４３〜４６のいずれか一項のエンコーダをさらに備える、請求項４７に記載のシステム。
【請求項４９】
前記スキャン装置が、収容装置内に配備され、
前記スキャン装置が、通信ユニットを通して前記端末と通信し、
前記通信ユニットが、前記収容装置外に配備され、
前記スキャン装置が、データ回線を介して前記通信ユニットに結合された、請求項４７または４８に記載のシステム。
【発明の詳細な説明】
【技術分野】
【０００１】
本出願は、コンピュータ分野に関し、詳細には、製品の品質保証期間をモニタリングする方法、システム、スキャン装置、端末及びエンコーダに関する。
【背景技術】
【０００２】
情報処理機能を持つ冷蔵庫及びネットワーク化された冷蔵庫の概念が、人々に理解されるようになってきた。冷蔵庫は、もはや食べ物を保存する機具というだけではない。これからの冷蔵庫は、食べ物の管理、さらには自動購入機能すらも処理することとなろう。さらに、食べ物の保存という状況以外にも、多くの他の製品（例えば、薬剤、生物薬品などの、消耗品であり品質保証期間が短い製品）が冷蔵庫に保存されるときにその品質保証期間をモニタリングし管理することが必要である。
【０００３】
しかし、２次元のスキャン、電子タグの取り付け、画像識別などを含む、既存技術における製品保存装置に対する様々な種類の解決策は、単に、タグの識別子及びタグに対応する製品の情報のみを取得するものであり、単純かつ正確な方法でリアルタイムに製品の品質保証期間をモニタリングすることはできない。さらに、既存技術における操作は、相対的に単調なものである。例えば、製品が配置されるたびに、名称、選択された品質保証期間などの情報を入力する必要がある。このことは、複雑な操作及びユーザの経験の乏しさという不利益をもたらす。
【発明の概要】
【０００４】
本出願は、スキャン装置、端末及びエンコーダで、製品品質保証期間をモニタリングする方法、装置及びシステムを提供することを目的とする。
【０００５】
第１の態様で、本出願は、スキャン装置で製品品質保証期間をモニタリングする方法を提供し、この方法は、製品のタグをスキャンしタグの識別子及び識別子に対応する製品品質保証期間を取得することと、識別子が新規の識別子であることに応じて、タグがスキャンされた初期時間を記録することと、識別子、製品品質保証期間及び初期時間を端末に送信して、製品品質保証期間及び初期時間に基づいて、品質保証期間のモニタリングを端末が行うことを可能にすることとを含む。
【０００６】
第２の態様で、本出願は、端末で製品品質保証期間をモニタリングする方法を提供し、この方法は、スキャン装置から識別子、製品品質保証期間及び初期時間を受信することとであって、スキャン装置は、製品のタグをスキャンして、タグの識別子及び識別子に対応する製品品質保証期間を取得し、スキャン装置は、識別子が新規の識別子であることに応じて、タグがスキャンされた初期時間を記録する、スキャン装置から識別子、製品品質保証期間及び初期時間を受信することと、製品品質保証期間及び初期時間に基づいて、品質保証期間のモニタリングを行うこととを含む。
【０００７】
第３の態様で、本出願は、エンコーダで製品品質保証期間をモニタリングする方法を提供し、この方法は、タグごとに新規の識別子を設定して、スキャン装置が製品のタグをスキャンすることによってタグの識別子及び識別子に対応する製品の品質保証期間を取得することを可能にすることと、識別子が新規の識別子であることに応じて、タグがスキャンされた初期時間をスキャン装置が記録することを可能にすることと、スキャン装置が識別子、製品品質保証期間及び初期時間を端末に送信することを可能にすることと、端末が製品品質保証期間及び初期時間に基づいて、品質保証期間のモニタリングを行うことを可能にすることとを含む。
【０００８】
第４の態様で、本出願は、製品の品質保証期間をモニタリングするスキャン装置を提供し、このスキャン装置は、製品のタグをスキャンして、タグの識別子及び識別子に対応する製品品質保証期間を取得するのに用いられる第１のモジュールと、識別子が新規の識別子であることに応じて、タグがスキャンされた初期時間を記録するのに用いられる第３のモジュールと、識別子、製品品質保証期間及び初期時間を端末に送信して、製品品質保証期間及び初期時間に基づいて、端末が品質保証期間をモニタリングすることを可能にするのに用いられる第５のモジュールとを含む。
【０００９】
第５の態様で、本出願は、製品の品質保証期間をモニタリングする端末を提供し、この端末は、識別子、製品品質保証期間及び初期時間をスキャン装置から受信するのに用いられる第２のモジュールであって、スキャン装置は、製品のタグをスキャンして、タグの識別子及び識別子に対応する製品品質保証期間を取得し、スキャン装置は、識別子が新規の識別子であることに応じて、タグがスキャンされた初期時間を記録するものである第２のモジュールと、製品品質保証期間及び初期時間に基づいて、品質保証期間をモニタリングをするのに用いられる第４のモジュールとを含む。
【００１０】
第６の態様で、本出願は、製品の品質保証期間をモニタリングするエンコーダを提供し、このエンコーダは、タグごとに新規の識別子を設定して、製品のタグをスキャンすることによって、スキャン装置が、タグの識別子及び識別子に対応する製品の品質保証期間を取得することを可能にし、識別子が新規の識別子であることに応じて、タグがスキャンされた初期時間を、スキャン装置が記録することを可能にし、スキャン装置が識別子、製品の品質保証期間及び初期時間を端末に送信することを可能にし、製品の品質保証期間及び初期時間に基づいて、端末が品質保証期間のモニタリングを行うことを可能にするのに用いられる第３１のモジュールを含む。
【００１１】
第７の態様で、本出願は、製品の品質保証期間をモニタリングするシステムを提供し、このシステムは、本出願で記載したようなスキャン装置及び端末を含む。
【００１２】
既存技術と比較すると、本出願は、製品のタグの識別子及び識別子に対応する製品品質保証期間を、スキャン装置を通して取得し、識別子が新規の識別子であることに応じて、タグがスキャンされた初期時間を記録し、識別子、製品品質保証期間及び初期時間を端末に送信して、端末が品質保証期間のモニタリングを行うことを可能にする。したがって、本出願は、識別子、製品の品質保証期間及びタグ、ならびにタグをスキャンする初期時間の対応関係に基づいて、製品の品質保証期間のリアルタイムでのモニタリングを実装する。その操作は単純であり、正確な時間モニタリングを自動的に提供するため、ユーザの経験を向上させる。
【００１３】
以下のような添付図面に目を通し参照すると、非限定の実施形態が詳細に記載されており、本出願の他の特徴、目的及び利点は、より明確にされるであろう。
【００１４】
同一のまたは同様の図面のラベルは、同一のまたは同様の要素を表す。
【図面の簡単な説明】
【００１５】
【図１】本出願の一態様による、製品品質保証期間をモニタリングするスキャン装置の概要構造図である。
【図２】本出願の一態様による、製品の品質保証期間をモニタリングする端末の概要構造図である。
【図３】本出願の一態様による、製品の品質保証期間をモニタリングするエンコーダの概要構造図である。
【図４】本出願の一態様による、製品の品質保証期間をモニタリングするシステムの概要構造図である。
【図５】本出願の一態様による、スキャン装置で製品品質保証期間をモニタリングする方法の流れ図である。
【図６】本出願の一態様による、端末で製品の品質保証期間をモニタリングする方法の流れ図である。
【図７】本出願の一態様による、エンコーダで製品の品質保証期間をモニタリングする方法の流れ図である。
【図８】本出願の一態様による、製品の品質保証期間をモニタリングする方法の流れ図である。
【発明を実施するための形態】
【００１６】
本出願は、添付図面と併せて本明細書中でさらに詳しく記載される。
【００１７】
本出願の典型的な構成において、端末、サービスネットワーク装置及び信頼できるパーティは、１つまたは複数のプロセッサ（ＣＰＵ）、入出力インタフェース、ネットワークインタフェース及びメモリを含み得る。
【００１８】
メモリは、揮発性メモリ、ランダムアクセスメモリ（ＲＡＭ）及び／または、例えば読取り専用メモリ（ＲＯＭ）またはフラッシュＲＡＭといった不揮発性メモリなどのコンピュータ可読媒体の形式を含み得る。メモリは、コンピュータ可読媒体の例である。
【００１９】
コンピュータ可読媒体は、任意の方法または技術を用いて情報の保存を達成し得る揮発タイプまたは不揮発タイプ、リムーバブル媒体またはノンリムーバブル媒体を含み得る。情報は、コンピュータ可読命令、データ構造、プログラムモジュールまたは他のデータを含み得る。コンピュータ保存媒体の例として、これらに限定するものではないが、相変化メモリ（ＰＲＡＭ）、スタティックランダムアクセスメモリ（ＳＲＡＭ）、ダイナミックランダムアクセスメモリ（ＤＲＡＭ）、他の種類のランダムアクセスメモリ（ＲＡＭ）、読取り専用メモリ（ＲＯＭ）、電気的消去・プログラム可能型読取り専用メモリ（ＥＥＰＲＯＭ）、クイックフラッシュメモリもしくは他の内部記憶技術、コンパクトディスク読取り専用メモリ（ＣＤ−ＲＯＭ）、デジタル多用途ディスク（ＤＶＤ）もしくは他の光学ストレージ、磁気カセットテープ、磁気ディスク記憶装置もしくは他の磁気記憶装置、または任意の他の非伝送媒体が挙げられる。これらは、コンピューティング装置によってアクセスされ得る情報を保存するのに用いられ得る。本明細書中で定義するように、コンピュータ可読媒体は、変調データ信号及び搬送波などの一時的な媒体は含まない。
【００２０】
図１は、製品の品質保証期間をモニタリングするスキャン装置の概要構造図を示す。製品の品質保証期間をモニタリングするスキャン装置は、第１のモジュール１１、第３のモジュール１３及び第５のモジュール１５を含む。
【００２１】
第１のモジュール１１は、製品のタグをスキャンして、タグの識別子及びタグに対応する製品品質保証期間を取得する。識別子が新規の識別子であるとき、第３のモジュール１３は、タグがスキャンされた初期時間を記録する。第５のモジュール１５は、識別子、製品品質保証期間及び初期時間を端末に送信して、端末が製品品質保証期間及び初期時間に基づいて、品質保証期間のモニタリングを行うことを可能にする。
【００２２】
タグに記憶された情報は、識別子及び製品の品質保証期間を含む。タグ及び識別子（ＩＤ）は互いに対応し、識別子及び製品の品質保証期間は互いに対応する。製品の品質保証期間はタグごとに設定される。タグは製品に付けられ、製品に対応する製品品質保証期間を規定している。第１のモジュール１１は、タグがスキャンされると、製品のタグに含まれる識別子及び製品品質保証期間を取得することができる。第１のモジュール１１が、識別子が記録されたことのない識別子であることを発見した場合、このことは、この識別子が収容装置に初めて入れられたことを示す。この場合、第３のモジュール１３は、タグがスキャンされた初期時間を記録する。次いで、第５のモジュール１５は、識別子、製品品質保証期間及び初期時間を端末に送信して、端末が、製品品質保証期間及び初期時間に基づいて、品質保証期間のモニタリングを行い、識別子に対応するモニタリング結果を得ることを可能にする。端末は、初期時間及び製品品質保証期間に基づいて、カウントダウン計算を行い得る。カウントダウンによって取得された計算結果が予め設定された閾値に達すると、端末は、識別子に基づいて、タグが付けられた製品が品質保証期間に達したというリマインダをユーザに送信する。収容装置は、製品を保存するのに用いられるものであり、冷蔵庫、保存箱などであり得る。スキャン装置は、収容装置にセットされる。製品は、時間モニタリングを受ける必要がある製品を含む。例として、食べ物、薬剤、生物薬品などの品質保証期間を有する製品が挙げられる。タグは、製品に、貼付、ステープラ止めなどによって付けられ得る。スキャン装置は、ＲＦＩＤ（無線周波数識別）、２次元のスキャン、バーコードスキャン、画像認識などの方法を用いてタグをスキャンし得る。
【００２３】
具体的には、タグとして電子タグが採用され、第１のモジュール１１は、ＲＦＩＤ読取りモジュールを用い得る。
【００２４】
この場合、電子タグは、ＲＦＩＤ手法を用いてスキャンされる。製品が収容装置内に配置されると、第１のモジュール１１は、無線周波数信号を送信することによって電子タグと通信する。全ての電子タグは、無線周波数信号を受信し、感知した電流を介して取得した電力を用いて、それぞれのチップに保存された固有識別子及び対応する製品品質保証期間を送信する。このことは、製品をスキャンするのに、製品に接触することまたは特定のジェスチャを用いることを必要としない。例えば、２次元のスキャン方法は、スキャンのために、２次元コードを対象としたスキャン装置を必要とする。このようにして、製品のタグをスキャンするユーザのジェスチャはスキップされ、ユーザの操作は最小限になる。電子タグは、製品を配置するときに付けられているだけでよく、品質保証期間のモニタリングは、人間の介入なしに自動的に行われる。
【００２５】
必要に応じて、本出願の例示的なスキャン装置は、第７のモジュール１７及び第９のモジュール１９をさらに含み得る。
【００２６】
第７のモジュール１７は、端末から照明命令を受信し、第９のモジュール１９は、タグが付けられた照明ユニットを制御して、照明命令にしたがって光を生成する。
【００２７】
端末は、収容装置の製品を選択するユーザの操作及びそれぞれの識別子に基づいて、スキャン装置に照明命令を送信する。第７のモジュール１７は、端末から照明命令を受信すると、第９のモジュール１９を制御して、タグ上に付いている照明ユニットを、照明命令にしたがって光を生成するように操作する。例えば、ユーザは、端末のスクリーンに表示された、タグに対応する画像をクリックし、端末は、タグの識別子及び照明命令をスキャン装置に送信して、スキャン装置に、識別子に基づいて、対応するタグを照らすように命令する。照明命令を受信した後、第７のモジュール１７は、第９のモジュール１９を制御して、スキャン信号を送出する。電子タグは、使用中のスキャン装置が発した一定の周波数を有する無線周波数信号によって形成された磁界でＲＦ（無線周波数）エネルギーを感知し受信する感知アンテナを用いて、電子タグを駆動し光を発させる。したがって、電子タグは、ユーザの選択操作に応じて光を発し、タグが付けられた対応する製品をユーザが発見することを容易にする。
【００２８】
必要に応じて、例示的なスキャン装置は、第１１のモジュール１１１をさらに含み得る。
【００２９】
第１のモジュール１１は、定期的にまたは周期的に、収容装置の製品の対応するタグをスキャンし得る。第１１のモジュール１１１は、現在のスキャンされた識別子一覧を端末に送信する。
【００３０】
第１１のモジュール１１１は、現在のスキャンされた識別子一覧を端末に送信する。端末は、履歴的に保存された識別子一覧を、現在のスキャンされた識別子一覧と比較し、履歴的に保存された識別子一覧に出現しているが現在のスキャンされた識別子一覧にはない識別子を第１のステータスとラベリングする。第１のステータスは、対応するタグが収容装置に存在しないことを表す。端末は、識別子及び第１のステータスに基づいて、対応するタグに対するカウントダウン計算を中止する。端末は、さらに、履歴的に保存された識別子一覧を、現在のスキャンされた識別子一覧と比較し、第１のステータスとラベリングされておりかつ現在のスキャンされた識別子一覧に再出現した識別子を第２のステータスとラベリングする。第２のステータスは、関連するタグが収容装置内に戻されたことを表す。端末は、識別子及び第２のステータスに基づいて、対応するタグに対するカウントダウン計算を続行する。例えば、第１のモジュール１１は、定期的にスキャンを行う。ユーザが収容装置から製品を取り出すと、スキャン装置は、対応するタグが収容装置に含まれていないことを検出する。第１１のモジュール１１１は、現在のスキャンされた識別子一覧を端末に送信する。端末は、受信した現在のスキャンされた識別子一覧と端末に保存された履歴的な識別子一覧との比較を行い、以前保存された識別子の一部が、受信した識別子の中には存在しないことを検出する。それに対応するタグは、第１のステータスとラベリングされ、対応するタグが収容装置内に存在せずユーザによって取り出されたことを示している。この場合、対応するタグに対するカウントダウン計算を中止して、リソースをセーブする。現在のスキャンされた識別子一覧と履歴的に保存された識別子一覧との比較後に、以前第１のステータスとラベリングされた識別子が現在のスキャンされた識別子一覧に再出現した場合、このことは、そのタグが収容装置内に戻されたことを示している。この場合、対応するタグに対するカウントダウン計算を続行する。このようにして、対応するタグに対するカウントダウン計算を続行または中止することは、製品を収容装置に出し入れするというユーザの行為に基づいて実装される。例えば、ユーザは食品を冷蔵庫から取り出し、その一部を食べた後で冷蔵庫に戻す。この状況下において、食品の対応するタグに対するカウントダウン計算は、中止または続行される。
【００３１】
必要に応じて、例示的なスキャン装置は、第１３のモジュール１１３をさらに含み得る。
【００３２】
第１のモジュール１１は、対応する収容装置の製品のタグを定期的にまたは周期的にスキャンする。第１３のモジュール１１３は、記録済み識別子(複数可）がスキャン中発見されなかった場合、記録済み識別子（複数可）及び第１のステータスを端末に送信する。
【００３３】
この場合、第１のステータスは、対応するタグ（複数可）が収容装置に存在しないことを表す。識別子（複数可）及び第１のステータスの受信に応じて、端末は、記録済み識別子（複数可）を第１のステータスとラベリングする。端末は、記録済み識別子（複数可）及び第１のステータスに基づいて、対応するタグ（複数可）に対するカウントダウン計算を中止する。現在のスキャンされた識別子一覧と履歴的に保存された識別子一覧の比較を用いる手法とは異なるため、端末が比較を行う必要はなく、第１３のモジュール１１３は、記録済み識別子（複数可）がスキャン中に発見された場合、記録済み識別子（複数可）及び第１のステータスを端末に直接送信する。このことにより、端末の作業負荷は軽減され、ネットワークフローの消費を小さくする。
【００３４】
必要に応じて、記録済み識別子がスキャン中に発見された場合、第１３のモジュール１１３は、記録済み識別子及び第２のステータスを端末に送信する。
【００３５】
この場合、第２のステータスは、そのタグが収容装置内に戻されたことを表す。識別子及び第２のステータスの受信に応じて、端末は、記録済み識別子を第２のステータスとラベリングする。端末は、記録済み識別子及び第２のステータスに基づいて、対応するタグに対するカウントダウン計算を続行する。同様に、第２のステータスはスキャン装置から送信され、端末は現在のスキャンされた識別子一覧と履歴的に保存された識別子一覧の比較を行う必要はない。したがって、端末の作業負荷は軽減され、ネットワークフローの消費を小さくする。
【００３６】
必要に応じて、例示的なスキャン装置は、第１５のモジュール１１５をさらに含み得る。
【００３７】
記録済み識別子がスキャン中発見されなかった場合、第１５のモジュール１１５は、そのタグのスキャンステータスを「更新」ステータスとラベリングする。
【００３８】
このケースにおいて、第１のモジュール１１が、記録されたことのある識別子をスキャンを通じて発見しなかった場合、このことは、対応するタグが収容装置から取り出され製品保存の状態が変わったことを示している。カウントダウン計算を中止または続行する通知を端末に行う必要がある。この場合、第１５のモジュール１１５は、スキャン装置のタグスキャンステータスを「更新」とラベリングする。端末がスキャン装置と通信及び接続を行うと、端末はまず、スキャン装置のタグスキャンステータスを検証する。タグスキャンステータスが「更新」とラベリングされている場合、端末は、スキャン装置に更新済みデータを送信するように要求する。更新済みデータは、現在のスキャンされた識別子の、すなわち第１のステータスまたは第２のステータスとラベリングされた識別子（複数可）の一覧を含む。
【００３９】
図２は、製品の品質保証期間をモニタリングする端末の概要構造図である。製品の品質保証期間をモニタリングする端末は、第２のモジュール２２及び第４のモジュール２４を含む。
【００４０】
スキャン装置は、製品のタグをスキャンして、タグの識別子及び識別子に対応する製品の品質保証期間を取得する。識別子が新規の識別子であるとき、スキャン装置は、タグがスキャンされた初期時間を記録する。第２のモジュール２２は、スキャン装置から送信された識別子、製品の品質保証期間及び初期時間を受信する。第４のモジュール２４は、製品の品質保証期間及び初期時間に基づいて、品質保証期間のモニタリングを行う。
【００４１】
タグに保存された情報は、識別子及び製品の品質保証期間を含む。タグ及び識別子（ＩＤ）は互いに対応し、識別子及び製品の品質保証期間は互いに対応する。製品の品質保証期間はタグごとに設定される。タグは製品に付けられ、製品に対応する製品品質保証期間を規定している。スキャン装置は、製品のタグをスキャンしたとき、識別子及び製品の品質保証期間を取得することができる。スキャン装置が、識別子を、記録されたことのない識別子として検出した場合、このことは、このタグが収容装置内に初めて配置されたことを示している。この場合、スキャン装置は、タグがスキャンされた初期時間を記録する。次いで、スキャン装置は、識別子、製品の品質保証期間及び初期時間を第２のモジュール２２に送信する。第４のモジュール２４は、製品の品質保証期間及び初期時間に基づいて品質保証期間のモニタリングを行うのに用いられる。冷蔵庫、保存箱などであり得る収容装置は、製品を保存するのに用いられる。製品は、時間モニタリングを受ける必要がある製品を含む。例として、食べ物、薬剤、生物薬品などの品質保証期間を有する製品が挙げられる。タグは、製品に、貼付、ステープラ止めなどによって付けられ得る。スキャン装置は、ＲＦＩＤ（無線周波数識別）、２次元のスキャン、バーコードスキャン、画像認識などの方法を用いてタグをスキャンし得る。端末は、通信の実行及びコンピュータ計算が可能である装置であってもよく、携帯電話、タブレットコンピュータ、デスクトップコンピュータなどを含む。
【００４２】
具体的には、第４のモジュール２４は、初期時間及び識別子に対応する製品の品質保証期間に基づいて、カウントダウン計算を行う。カウントダウン計算の計算結果が予め設定された閾値に達すると、第４のモジュール２４は、識別子に基づいて、タグが付けられた製品が品質保証期間に達したことをユーザにリマインドする。
【００４３】
具体的には、以下の式が、カウントダウン計算に用いられる。 
Ｔs＝Ｔc＋Ｌ−Ｔd
【００４４】
Ｔsは、残り時間を表し、Ｔcは、初期時間を表し、Ｌは製品の品質保証期間を表し、Ｔdは、現在の時間を表す。
【００４５】
現在の時間Ｔdは、時計を用いて端末によって取得される現在の時間の情報を指す。カウントダウン計算の計算結果は、残り時間Ｔsを指す。計算から取得された残り時間Ｔsが、予め設定された閾値よりも少なくなると、例えば１日未満になると、第４のモジュール２４は、対応するタグが製品の品質保証期間に近接していることをユーザにリマインドする。例えば、期限切れしたタグのシリアルナンバーまたは名称を、スクリーンを介して表示する。タグの有効残り期間も表示し得る。
【００４６】
必要に応じて、例示的な端末は、第６のモジュール２６をさらに含み得る。
【００４７】
第６のモジュール２６は、品質保証期間のモニタリング結果に基づいて、品質保証期間の統計一覧を生成し表示する。
【００４８】
第６のモジュール２６は、ユーザのクエリ操作に基づいて、識別子一覧に基づいた様々な識別子ベースのカウントダウンのそれぞれの計算結果、すなわちそれぞれの残り時間Ｔsを取得し、識別子と残り時間の対応一覧、すなわち品質保証期間の統計一覧を表示して、保存されている製品の品質保証期間に関連する状態をユーザが検索し把握することを容易にする。
【００４９】
必要に応じて、例示的な端末は、第８のモジュール２８をさらに含み得る。
【００５０】
スキャン装置と通信していない期間が、予め設定された継続時間より長いという検出に応じて、第８のモジュール２８は、ユーザにプロンプトを提供する。
【００５１】
端末は、スキャン装置に近接して設置されていなくてもよく、または、通信信号は、安定していなくてもよい。端末が、スキャン装置との通信が予め設定された期間内なされていないことを検出すると、第８のモジュール２８は、スキャン装置への接続が必要であることをユーザにリマインドし、または、ユーザに警告を送信して、製品の保存状態のデータを更新する。
【００５２】
必要に応じて、例示的な端末は、第１０のモジュール２１０をさらに含み得る。
【００５３】
第１０のモジュール２１０は、収容装置の製品を選択するユーザの操作及びその識別子に基づいて、照明命令をスキャン装置に送信する。
【００５４】
第１０のモジュール２１０から送信された照明命令の受信に応じて、スキャン装置は、タグ上に付けられた照明ユニットを制御して、照明命令にしたがって光を発する。例えば、ユーザは、端末のディスプレイに提示された、タグに対応する画像をクリックする。第１０のモジュール２１０は、タグの識別子及び照明命令をスキャン装置に送信し、スキャン装置に、識別子に応じて、対応するタグを照らすように命令する。スキャン装置は、スキャン信号を送出する。電子タグは、電子タグに光を発させるドライバとして、スキャン装置のリーダが送出した一定の周波数のＲＦ信号によって形成された磁界でＲＦ（無線周波数）電力を感知し受信する感知アンテナを用いる。このようにして、電子タグは、ユーザの選択操作に応じて光を発し、タグが付けられた対応する製品をユーザが発見することを容易にする。
【００５５】
必要に応じて、例示的な端末は、第１２のモジュール２１２をさらに含み得る。
【００５６】
第１２のモジュール２１２は、製品の品質保証期間を設定するユーザの操作に応じて、製品の品質保証期間の設定命令をエンコーダに送信する。
【００５７】
タグは、エンコーダによって、識別子を用いて再構成される。タグが製品に付けられる前、毎回、元のタグは、以前の製品からの区別のために、新規の識別子が割り当てられるように再構成され得る。識別子がエンコーダで再構成されると、識別子に対応する製品の品質保証期間が割り当てられ得る。タグに対する製品の品質保証期間に設定の修正が必要な場合、第１２のモジュール２１２は、ユーザの設定操作に応じて、製品品質保証期間の設定命令をエンコーダに送信し得る。エンコーダは、命令にしたがって、製品の品質保証期間に対して、対応する設定を修正する。例えば、実際の製品の品質保証期間が６か月であり、タグに保存された製品品質保証期間が３か月である場合、第１２のモジュール２１２は、製品品質保証期間の設定命令をエンコーダに送信し得る。エンコーダは、タグの製品品質保証期間を３か月から６か月に修正し、次いで、タグを実際の製品のパケットに付ける。
【００５８】
具体的には、製品品質保証期間の設定命令は、タグの色と製品品質保証期間の対応関係を含む。
【００５９】
タグは、様々な色で設定される。様々な色のタグは、様々な製品品質保証期間で設定される。例えば、赤、オレンジ、黄、緑、ペール、青及び紫を含む色を用いて、カラフルな電子タグは使用される。赤のタグの製品品質保証期間は１日に設定されている。オレンジのタグの製品品質保証期間は２日に設定されている。黄のタグの製品品質保証期間は３日に設定されている。緑のタグの製品品質保証期間は４日に設定されている。ペールのタグの製品品質保証期間は１週間に設定されている。青のタグの製品品質保証期間は半月に設定されている。紫のタグの製品品質保証期間は１か月に設定されている。様々な製品品質保証期間を表すのに様々な色のついたタグを用いることによって、タグに関連する製品品質保証期間をきわめて直感的に提示することができ、ユーザによる識別及び使用を容易にすることができる。様々な色のついたタグを製品品質保証期間に対して設定するとき、第１２のモジュール２１２は、タグに保存された製品品質保証期間がタグの色と矛盾しないことを確実にするために、タグの色と製品品質保証期間の対応関係を送信する必要もある。
【００６０】
必要に応じて、例示的な端末は、第１４のモジュール２１４、第１６のモジュール２１６及び第１８のモジュール２１８をさらに含み得る。
【００６１】
第１４のモジュール２１４は、スキャン装置によって送信された現在のスキャンされた識別子一覧を受信する。第１６のモジュール２１６は、履歴的に保存された識別子一覧を現在のスキャンされた識別子一覧と比較し、履歴的に保存された識別子一覧に出現しているが現在のスキャンされた識別子一覧にはない識別子を第１のステータスとラベリングする。第１８のモジュール２１８は、識別子及び第１のステータスに基づいて、対応するタグに対するカウントダウン計算を中止する。
【００６２】
スキャン装置は、収容装置の製品のタグを定期的にスキャンする。ユーザが製品を収容装置から取り出すと、スキャン装置は、対応するタグが収容装置内で見つからないことを検出し、現在のスキャンされた識別子一覧を第１４のモジュール２１４に送信する。第１６のモジュール２１６は、受信した現在の識別子一覧を、端末に保存した履歴的に保存された識別子一覧と比較し、履歴的に保存された識別子の一部が、受信した識別子には見つからないことを発見する。この場合、対応するタグは第１のステータスとラベリングされ、対応するタグが収容装置に存在せずユーザによって取り出されたことを示している。この場合、第１８のモジュール２１８は、対応するタグに対するそれぞれのカウントダウン計算を行う第４のモジュール２４を制御し中止して、リソースをセーブする。例えば、ユーザは、冷蔵庫から食べ物を取り出す。この場合、食べ物に対応するタグに対するカウントダウン計算を中止する。
【００６３】
必要に応じて、第１６のモジュール２１６は、履歴的に保存された識別子一覧を現在のスキャンされた識別子一覧と比較し、現在のスキャンされた識別子一覧に再出現しておりかつ第１のステータスとラベリングされた識別子を、第２のステータスとラベリングする。第１８のモジュール２１８は、識別子及び第２のステータスに基づいて、対応するタグに対するカウントダウン計算を続行する。
【００６４】
現在のスキャンされた識別子一覧を履歴的に保存された識別子一覧と比較した後、第１６のモジュール２１６は、以前第１のステータスとラベリングされた識別子（複数可）が、現在のスキャンされた識別子一覧に再出現したことを検出する。これは、それぞれのタグが収容装置に戻されたことを示している。この場合、第１８のモジュール２１８は、第４のモジュール２４を制御して、それぞれのタグに対するカウントダウン計算を続行する。カウントダウン計算を続行するとき、端末は、更新後の現在の時間を用いて、こうして、製品を戻すというユーザの行為に応じて、タグの対応するカウントダウン動作を続行することを実装する。
【００６５】
必要に応じて、例示的な端末は、第２０のモジュール２２０、第２２のモジュール２２２及び第２４のモジュール２２４をさらに含み得る。
【００６６】
第２０のモジュール２２０は、スキャン装置から、記録済み識別子（複数可）及び第１のステータスを受信する。第２２のモジュール２２２は、記録済み識別子（複数可）を第１のステータスとラベリングし、第２４のモジュール２２４は、記録済み識別子（複数可）及び第１のステータスに基づいて、対応するタグ（複数可）に対するカウントダウン計算（複数可）を中止する。
【００６７】
第１のステータスは、対応するタグが収容装置に存在しないことを示す。現在のスキャンされた識別子一覧と履歴的に保存された識別子一覧を比較する方法とは異なるため、端末が一覧を比較する必要なしに、スキャン装置は、記録済み識別子（複数可）がスキャン中発見されなかった場合、記録済み識別子（複数可）及び第１のステータスを端末に直接送信する。このことにより、端末の作業負荷は軽減され、ネットワークフローの消費を小さくする。第２４のモジュール２２４は、第４のモジュール２４を制御して、対応するタグに対するカウントダウン計算を中止する。
【００６８】
必要に応じて、第２０のモジュール２２０は、スキャン装置から、記録済み識別子及び第２のステータスを受信し、第２２のモジュール２２２は、記録済み識別子を第２のステータスとラベリングする。第２４のモジュール２２４は、記録済み識別子及び第２のステータスに基づいて、対応するタグに対するカウントダウン計算を続行する。
【００６９】
第２のステータスは、対応するタグが収容装置に戻されたことを表す。同様に、端末が現在のスキャンされた識別子一覧を履歴的に保存された識別子一覧と比較する必要なしに、記録済み識別子がスキャンによって再度取得された場合、スキャン装置は、第２のステータスを送信する。したがって、端末の作業負荷は軽減され、ネットワークフローの消費を小さくする。第２４のモジュール２２４は、第４のモジュール２４を制御して、対応するタグに対するカウントダウン計算を続行する。
【００７０】
必要に応じて、例示的な端末は、第２６のモジュール２２６及び第２８のモジュール２２８をさらに含み得る。
【００７１】
スキャン装置と通信を行うと、第２６のモジュール２２６は、スキャン装置のタグスキャンステータスを取得する。タグスキャンステータスが「更新」ステータスである場合、第２８のモジュール２２８は、スキャン装置に、更新済みデータを送信するように要求する。
【００７２】
スキャン装置がスキャン中、記録済み識別子を発見しなかった場合、このことは、対応するタグが取り出され製品保存に関する状態が変わったことを示す。それぞれのカウントダウン計算を中止または続行することを端末に通知する必要がある。この場合、スキャン装置は、タグスキャンステータスを「更新」とラベリングする。第２６のモジュール２２６がスキャン装置と通信を行うと、第２６のモジュール２２６はまず、スキャン装置のタグスキャンステータスを検出する。タグスキャンステータスが「更新」とラベリングされている場合、第２８のモジュール２２８は、スキャン装置に、更新済みデータを送信するように要求する。更新済みデータは、現在のスキャンされた識別子の、すなわち第１のステータスまたは第２のステータスとラベリングされた識別子（複数可）の一覧を含む。
【００７３】
図３は、製品の品質保証期間をモニタリングするエンコーダの概略構造図を示す。製品の品質保証期間をモニタリングするエンコーダは、第３１のモジュール３１を含む。
【００７４】
第３１のモジュール３１は、新規の識別子を各タグに割り当てる。スキャン装置は、製品のタグをスキャンして、タグの識別子及び識別子に対応する製品品質保証期間を取得する。識別子が新規の識別子であるとき、スキャン装置は、タグがスキャンされた初期時間を記録する。スキャン装置は、識別子、製品品質保証期間及び初期時間を端末に送信する。端末は、製品品質保証期間及び初期時間に基づいて、品質保証期間のモニタリングを行う。
【００７５】
タグに保存された情報は、識別子及び製品の品質保証期間を含む。タグ及び識別子（ＩＤ）は互いに対応し、識別子及び製品の品質保証期間は互いに対応する。製品の品質保証期間は、タグごとに設定される。タグは製品に付けられ、製品に対応する製品品質保証期間を規定している。冷蔵庫、保存箱などであり得る収容装置は、製品を保存するのに用いられる。製品は、時間モニタリングを受ける必要がある製品を含む。例として、食べ物、薬剤、生物薬品などの品質保証期間を有する製品が挙げられる。タグは、製品に、貼付、ステープラ止めなどによって付けられ得る。スキャン装置は、ＲＦＩＤ（無線周波数識別）、２次元のスキャン、バーコードスキャン、画像認識などの方法を用いてタグをスキャンし得る。タグは、エンコーダを介して、識別子を用いて再構成される。タグが製品に付けられるときは毎回、タグはエンコーダ内に配置される。第３１のモジュール３１は、以前の製品から区別するために、元のタグを、新規の識別子が提供されるように再構成する。
【００７６】
必要に応じて、例示的なエンコーダは、第３２のモジュール３２及び第３３のモジュール３３をさらに含み得る。
【００７７】
第３２のモジュール３２は、端末から、製品品質保証期間の設定命令を受信する。第３３のモジュール３３は、製品品質保証期間の設定命令に基づいて、タグに対して、識別子に対応する製品品質保証期間を設定する。
【００７８】
タグがエンコーダで再構成されるとき、タグに、その識別子に対応する製品品質保証期間が与えられ得る。タグの製品品質保証期間に構成上修正が必要な場合、端末は、ユーザの設定操作に基づいて、品質保証期間の設定命令を第３２のモジュール３２に送信する。第３３のモジュール３３は、この命令にしたがって、製品品質保証期間の構成上、対応する修正を行う。例えば、実際の製品の品質保証期間が６か月であり、タグに保存された製品品質保証期間が３か月である場合、端末を用いて製品品質保証期間の設定命令を第３２のモジュール３２に送信し、第３３のモジュール３３を制御して、タグの製品品質保証期間を３か月から６か月に修正し得る。次いで、タグは、実際の製品のパッケージに付けられ得る。
【００７９】
必要に応じて、少なくとも２つのタグは、異なる色を有する。異なる製品品質保証期間が、異なる色のタグに対して設定される。製品品質保証期間の設定命令は、色と製品品質保証期間の対応関係を含む。第３３のモジュール３３は、製品品質保証期間の設定命令にしたがって、タグに対して、識別子に対応する製品品質保証期間及びタグの色を設定するのに用いられる。
【００８０】
タグは、様々な色で設定される。様々な色のタグは、様々な製品品質保証期間で設定される。例えば、赤、オレンジ、黄、緑、ペール、青及び紫を含む色を用いて、カラフルな電子タグは使用される。赤のタグの製品品質保証期間は１日に設定されている。オレンジのタグの製品品質保証期間は２日に設定されている。黄のタグの製品品質保証期間は３日に設定されている。緑のタグの製品品質保証期間は４日に設定されている。ペールのタグの製品品質保証期間は１週間に設定されている。青のタグの製品品質保証期間は半月に設定されている。紫のタグの製品品質保証期間は１か月に設定されている。様々な製品品質保証期間を表すために様々な色のついたタグを用いることによって、タグに関連する製品品質保証期間をきわめて直感的に提示することができ、ユーザによる識別及び使用を容易にすることができる。様々な色のタグを、製品品質保証期間を用いて構成するとき、製品品質保証期間の設定命令は、タグに保存された製品品質保証期間がタグの色と矛盾しないことを確実にするために、タグの色と製品品質保証期間の対応関係を含む必要がさらにある。
【００８１】
必要に応じて、エンコーダは、複数の収容キャビティを含む。各収容キャビティは、同一の色のタグを配置するのに用いられる。各収容キャビティの色はそれぞれ、タグの色に対応する。第３３のモジュール３３は、製品品質保証期間の設定命令にしたがって、各収容キャビティでタグを、識別子に個々に対応するそれぞれの製品品質保証期間及びタグの色を用いて個々に構成するのに用いられる。
【００８２】
識別子に対応する製品品質保証期間は、製造時に電子タグでプリセットされ得る。異なる色は、異なる品質保証期間に対応する。タグは、同一の色を有する収容キャビティ内に配置されるように、収容キャビティの色に応じてエンコーダに配置される。例えば、赤のタグは、赤の収容キャビティに配置される。したがって、このことにより、ユーザは、いかなる設定もなしに、きわめて便利にタグを使用し始めることができるようになる。電子タグがエンコーダに配置されると、エンコーダは、電子タグの識別子をリフレッシュし、タグが配置された場所にしたがって、製品品質保証期間をリフレッシュする。ユーザが所定の製品品質保証期間に満足しない場合、ユーザは、端末を介して、タグの色に対応する製品品質保証期間を調整することができる。エンコーダは、ＢｌｕｅｔｏｏｔｈモジュールまたはＷｉＦｉモジュールを介して端末と通信し、端末から構成を更新する命令を受信することができる。
【００８３】
図４は、製品の品質保証期間をモニタリングするシステムの概略構造図を示す。製品の品質保証期間をモニタリングするシステムは、図１に示すようなスキャン装置１及び図２に示すような端末２を含む。
【００８４】
スキャン装置１は、第１のモジュール１１、第３のモジュール１３及び第５のモジュール１５を含む。端末は、第２のモジュール２２及び第４のモジュール２４を含む。
【００８５】
第１のモジュール１１は、製品のタグをスキャンして、タグの識別子及び識別子に対応する製品品質保証期間を取得する。識別子が新規の識別子であることに応じて、第３のモジュール１３は、タグがスキャンされた初期時間を記録する。第５のモジュール１５は、識別子、製品品質保証期間及び初期時間を第２のモジュール２２に送信する。第４のモジュール２４は、製品品質保証期間及び初期時間に基づいて、品質保証期間をモニタリングする。
【００８６】
具体的には、第４のモジュール２４は、初期時間及び識別子に対応する製品品質保証期間に基づいて、カウントダウン計算を行う。カウントダウン計算の計算結果が所定の閾値に達すると、第４のモジュール２４は、識別子に基づいて、タグが付けられた製品が品質保証期間に達したことをユーザにリマインドする。以下の式が、カウントダウン計算に用いられる。
Ｔs＝Ｔc＋Ｌ−Ｔd
【００８７】
Ｔsは残り時間を表し、Ｔcは初期時間を表し、Ｌは製品の品質保証期間を表し、Ｔdは現在の時間を表す。
【００８８】
必要に応じて、端末は、第６のモジュール２６をさらに含み得る。
【００８９】
第６のモジュール２６は、品質保証期間のモニタリング結果に基づいて、品質保証期間の統計一覧を生成し表示する。
【００９０】
第６のモジュール２６は、ユーザのクエリ操作に基づいて、識別子一覧に基づく様々な識別子ベースのカウントダウンのそれぞれの計算結果、すなわちそれぞれの残り時間Ｔsを取得し、識別子と残り時間の対応一覧、すなわち品質保証期間の統計一覧を表示して、製品の品質保証期間に関連する状態をユーザが検索し把握することを容易にする。
【００９１】
必要に応じて、端末は、第８のモジュール２８をさらに含み得る。
【００９２】
スキャン装置と通信していない期間が、予め設定された継続時間より長いという検出に応じて、第８のモジュール２８は、ユーザにプロンプトを提供する。
【００９３】
端末は、スキャン装置に近接して設置されていなくてもよく、または、通信信号は、安定していなくてもよい。端末が、スキャン装置との通信が予め設定された期間内なされていないことを検出すると、第８のモジュール２８は、スキャン装置との接続が必要であることをユーザにリマインドし、またはユーザに警告を送信して、製品の保存状態のデータを更新する。
【００９４】
必要に応じて、例示的な端末は、第１０のモジュール２１０をさらに含み得る。スキャン装置は、第７のモジュール１７及び第９のモジュール１９をさらに含む。
【００９５】
第１０のモジュール２１０は、収容装置の製品を選択するユーザの操作及びその識別子に基づいて、照明命令を第７のモジュール１７に送信する。第７のモジュール１７は、端末から照明命令を受信し、第９のモジュール１９は、タグに付いている照明ユニットを制御して、照明命令にしたがって光を生成する。
【００９６】
第１０のモジュール２１０から照明命令を受信した後、第７のモジュール１７は、第９のモジュール１９を制御して、タグが付けられた照明ユニットを、照明命令にしたがって光を生成するように操作する。例えば、ユーザは、端末のスクリーンに表示された、タグに対応する画像をクリックし、第１０のモジュール２１０は、タグの識別子及び照明命令を第７のモジュール１７に送信する。第９のモジュール１９は、スキャン信号を制御し送出する。電子タグは、使用中のスキャン装置が発した一定の周波数を有する無線周波数信号によって形成された磁界でＲＦ（無線周波数）エネルギーを感知し受信する感知アンテナを用いて、電子タグを駆動し光を発させる。したがって、電子タグは、ユーザの選択操作に応じて光を発し、タグが付けられた対応する製品をユーザが発見することを容易にする。
【００９７】
必要に応じて、スキャン操作は、第１１のモジュール１１１をさらに含み得る。端末は、第１４のモジュール２１４、第１６のモジュール２１６及び第１８のモジュール２１８をさらに含む。
【００９８】
第１のモジュールは、対応する収容装置内の製品のタグを定期的にスキャンする。第１１のモジュール１１１は、現在のスキャンされた識別子一覧を第１４のモジュール２１４に送信する。第１４のモジュール２１４は、現在のスキャンされた識別子一覧をスキャン装置から受信する。第１６のモジュール２１６は、履歴的に保存された識別子一覧を現在のスキャンされた識別子一覧と比較し、履歴的に保存された識別子一覧に出現しているが現在のスキャンされた識別子一覧にはない識別子を第１のステータスとラベリングする。第１８のモジュール２１８は、識別子及び第１のステータスに基づいて、対応するタグに対するカウントダウン計算を中止する。
【００９９】
必要に応じて、第１６のモジュール２１６は、履歴的に保存された識別子一覧を現在のスキャンされた識別子一覧と比較し、現在のスキャンされた識別子一覧に再出現しておりかつ第１のステータスとラベリングされている識別子を第２のステータスとラベリングする。第１８のモジュール２１８は、識別子及び第２のステータスに基づいて、対応するタグに対するカウントダウン計算を続行する。
【０１００】
第１のステータスは、対応するタグが収容装置に存在しないことを表す。第２のステータスは、対応するタグが収容装置に戻されたことを表す。このことによって、製品を出し入れするというユーザの行為に基づいて、対応するタグに対するカウントダウン計算を中止または続行することが実装される。
【０１０１】
必要に応じて、スキャン装置は、第１３のモジュール１１３をさらに含み得る。端末は、第２０のモジュール２２０、第２２のモジュール２２２及び第２４のモジュール２２４をさらに含む。
【０１０２】
第１のモジュール１１は、収容装置の製品のタグを定期的にスキャンする。記録されたことのある識別子がスキャンからは見つからなかった場合、第１３のモジュール１１３は、記録されたことのある識別子（複数可）及び第１のステータスを第２０のモジュール２２０に送信する。第２０のモジュール２２０は、スキャン装置から、記録済み識別子（複数可）及び第１のステータスを受信する。第２２のモジュール２２２は、記録済み識別子（複数可）を第１のステータスとラベリングし、第２４のモジュール２２４は、記録済み識別子（複数可）及び第１のステータスに基づいて、それぞれのタグ（複数可）に対するカウントダウン計算（複数可）を中止する。
【０１０３】
必要に応じて、記録済み識別子がスキャンによって再度取得された場合、第１３のモジュール１１３は、第２のステータス及び記録済み識別子を第２０のモジュール２２０に送信する。第２０のモジュール２２０は、スキャン装置から、記録済み識別子及び第２のステータスを受信する。第２２のモジュール２２２は、記録済み識別子を第２のステータスとラベリングする。第２４のモジュールは、記録済み識別子及び第２のステータスに基づいて、対応するタグに対するカウントダウン計算を続行する。
【０１０４】
第１のステータスは、対応するタグが収容装置に存在しないことを表す。第２のステータスは、対応するタグが収容装置に戻されたことを表す。端末が現在のスキャンされた識別子一覧と履歴的に保存された識別子一覧の比較を行う必要なしに、スキャン装置は、第１のステータスまたは第２のステータスを送信する。このようにして、端末の作業負荷は軽減され、ネットワークフローの消費を小さくする。
【０１０５】
必要に応じて、スキャン装置は、第１５のモジュール１１５をさらに含み得る。端末は、第２６のモジュール２２６及び第２８のモジュール２２８をさらに含む。記録済み識別子がスキャン中見つからなかった場合、第１５のモジュール１１５は、タグスキャンステータスを「更新」ステータスとラベリングする。第２６のモジュール２２６は、第１５のモジュール１１５のタグスキャンステータスを取得する。タグスキャンステータスが「更新」ステータスの場合、第２８のモジュール２２８は、スキャン装置に、更新済みデータを送信するように要求する。
【０１０６】
スキャン装置が、スキャン中、記録済み識別子を発見しなかった場合、このことは、対応するタグが取り出され製品保存に関する状態が変わったことを示す。それぞれのカウントダウン計算を中止または続行する通知を端末に行う必要がある。この場合、第１５のモジュール１１５は、タグスキャンステータスを「更新」とラベリングする。第２６のモジュール２２６がスキャン装置と通信を行うと、第２６のモジュール２２６はまず、スキャン装置のタグスキャンステータスを検出する。タグスキャンステータスが「更新」とラベリングされている場合、第２８のモジュール２２８は、スキャン装置に、更新済みデータを送信するように要求する。更新済みデータは、現在のスキャンされた識別子の、すなわち第１のステータスまたは第２のステータスとラベリングされた識別子（複数可）の一覧を含む。
【０１０７】
必要に応じて、システムは、図３に示すようなエンコーダ３をさらに含み得る。
【０１０８】
エンコーダは、第３１のモジュール３１を含む。第３１のモジュールは、タグごとに新規の識別子を設定する。タグは、エンコーダを介して、識別子を用いて再構成される。タグが製品に付けられるときは毎回、タグはエンコーダ内に配置される。第３１のモジュール３１は、以前の製品から区別するために、元のタグを、新規の識別子が提供されるように再構成する。
【０１０９】
必要に応じて、例示的なエンコーダは、第３２のモジュール３２及び第３３のモジュール３３をさらに含み得る。端末は、第１２のモジュール２１２をさらに含む。
【０１１０】
第１２のモジュール２１２は、製品の品質保証期間を設定するユーザの操作に応じて、製品の品質保証期間の設定命令を第３２のモジュール３２に送信する。第３３のモジュール３３は、製品品質保証期間の設定命令に基づいて、タグに対して、識別子に対応する製品品質保証期間を設定する。
【０１１１】
タグがエンコーダで再構成されるとき、タグに、その識別子に対応する製品品質保証期間が与えられ得る。タグの製品品質保証期間に構成上修正が必要な場合、第１２のモジュール２１２は、ユーザの設定操作に応じて、品質保証期間の設定命令を第３２のモジュール３２に送信する。第３３のモジュール３３は、この命令にしたがって、製品品質保証期間の構成上、対応する修正を行う。
【０１１２】
必要に応じて、少なくとも２つのタグは、異なる色を有する。異なる製品品質保証期間が、異なる色のタグに対して設定される。製品品質保証期間の設定命令は、色と製品品質保証期間の対応関係を含む。第３３のモジュール３３は、製品品質保証期間の設定命令にしたがって、タグに対して、識別子に対応する製品品質保証期間及びタグの色を設定する。
【０１１３】
タグは、様々な色で設定される。様々な色のタグは、様々な製品品質保証期間で設定され、したがって、タグに関連する製品品質保証期間をきわめて直感的に提示し、ユーザによる識別及び使用を容易にしている。様々な色のタグを、製品品質保証期間を用いて構成するとき、製品品質保証期間の設定命令は、タグに保存された製品品質保証期間がタグの色と矛盾しないことを確実にするために、タグの色と製品品質保証期間の対応関係を含む必要がさらにある。
【０１１４】
必要に応じて、エンコーダは、複数の収容キャビティを含む。各収容キャビティは、同一の色のタグを配置するのに用いられる。各収容キャビティの色はそれぞれ、タグの色に対応する。第３３のモジュール３３は、製品品質保証期間の設定命令にしたがって、各収容キャビティでタグを、識別子に個々に対応するそれぞれの製品品質保証期間及びタグの色を用いて個々に構成するのに用いられる。
【０１１５】
識別子に対応する製品品質保証期間は、製造時に電子タグでプリセットされ得る。異なる色は、異なる品質保証期間に対応する。タグは、同一の色を有する収容キャビティ内に配置されるように、収容キャビティの色に応じてエンコーダに配置される。例えば、赤のタグは、赤の収容キャビティに配置される。したがって、このことにより、ユーザは、いかなる設定もなしに、きわめて便利にタグを使用し始めることができるようになる。電子タグがエンコーダに配置されると、エンコーダは、電子タグの識別子をリフレッシュし、タグが配置された場所にしたがって、製品品質保証期間をリフレッシュする。ユーザが所定の製品品質保証期間に満足しない場合、ユーザは、端末を介して、タグの色に対応する製品品質保証期間を調整することができる。
【０１１６】
必要に応じて、スキャン装置は、収容装置内に配備される。スキャン装置は、通信ユニットを介して端末と通信する。通信ユニットは、収容装置外に配備される。スキャン装置は、データ回線を介して、通信ユニットに結合する。
【０１１７】
タグとして電子タグが採用され、第１のモジュール１１は、ＲＦＩＤ読取りモジュールを用い得る。電子タグは、ＲＦＩＤ手法を用いてスキャンされる。製品が収容装置内に配置されると、第１のモジュール１１は、無線周波数信号を送信することによって、その電子タグと通信する。全ての電子タグは、無線周波数信号を受信し、感知した電流を介して取得した電力を用いて、それぞれのチップに保存された固有識別子及び対応する製品品質保証期間を送信する。このことは、製品をスキャンするのに、製品に接触することまたは特定のジェスチャを用いることを必要としない。例えば、２次元のスキャン方法は、スキャンのために、２次元コ―ドを対象とするスキャン装置を必要とする。このようにして、製品のタグをスキャンするというユーザのジェスチャはスキップされ、ユーザの操作は最小限になる。タグは、製品を配置するときに付けられているだけでよく、品質保証期間のモニタリングは、人間の介入なしに自動的に行われる。しかし、スキャン装置は、収容装置内に配備される必要があるので、スキャン装置と端末の間で通信用無線信号が弱くなるという問題が生じ得る。したがって、スキャン装置は、収容装置外にある通信ユニットにデータ回線を介して結合されて、障害による無線信号の弱体化という問題を回避する。
【０１１８】
具体的には、通信ユニットは、ＢｌｕｅｔｏｏｔｈまたはＷｉＦｉを介して、端末と通信する。
【０１１９】
Ｂｌｕｅｔｏｏｔｈの場合の伝送距離は、１０メートル範囲である。これは、基本的に、家庭にとっては十分である。大規模な製品収納システムの場合、１０メートルの伝送距離は、十分ではない。したがって、多数の製品保存用収容装置を保存する状況に、より適しているＷｉＦｉを、通信を行うために用い得る。
【０１２０】
図５は、本出願の一態様による、スキャン装置で製品の品質保証期間をモニタリングする方法の流れ図を示す。スキャン装置で製品の品質保証期間をモニタリングする方法は、以下を含む。
【０１２１】
Ｓ５０１は、製品のタグをスキャンして、タグの識別子及びタグに対応する製品品質保証期間を取得する。
【０１２２】
Ｓ５０２は、識別子が新規の識別子であるとき、タグがスキャンされた初期時間を記録する。
【０１２３】
Ｓ５０３は、識別子、製品品質保証期間及び初期時間を端末に送信して、端末が製品品質保証期間及び初期時間に基づいて、品質保証期間のモニタリングを行うことを可能にする。
【０１２４】
タグに保存された情報は、識別子及び製品の品質保証期間を含む。タグ及び識別子（ＩＤ）は互いに対応し、識別子及び製品の品質保証期間は互いに対応する。製品の品質保証期間は、タグごとに設定される。タグは製品に付けられ、製品に対応する製品品質保証期間を規定している。スキャン装置は、タグをスキャンすると、製品のタグに含まれる識別子及び製品品質保証期間を取得することができる。スキャン装置が、識別子は記録されたことのない識別子であることを発見した場合、このことは、この識別子が収容装置に初めて入れられたことを示す。この場合、スキャン装置は、タグがスキャンされた初期時間を記録する。次いで、スキャン装置は、識別子、製品品質保証期間及び初期時間を端末に送信して、端末が、製品品質保証期間及び初期時間に基づいて、品質保証期間のモニタリングを行い、識別子に対応するモニタリング結果を取得することを可能にする。端末は、初期時間及び製品品質保証期間に基づいて、カウントダウン計算を行い得る。カウントダウンによって取得された計算結果が予め設定された閾値に達すると、端末は、識別子に基づいて、タグが付けられた製品が品質保証期間に達したというリマインダをユーザに送信する。収容装置は、製品を保存するのに用いられるものであり、冷蔵庫、保存箱などであり得る。スキャン装置は、収容装置にセットされる。製品は、時間モニタリングを受ける必要がある製品を含む。例として、食べ物、薬剤、生物薬品などの品質保証期間を有する製品が挙げられる。タグは、製品に、貼付、ステープラ止めなどによって付けられ得る。スキャン装置は、ＲＦＩＤ（無線周波数識別）、２次元のスキャン、バーコードスキャン、画像認識などの方法を用いてタグをスキャンし得る。
【０１２５】
必要に応じて、Ｓ５０３で識別子、製品品質保証期間及び初期時間を端末に送信後、方法は、以下をさらに含む。
【０１２６】
Ｓ５０４は、照明命令を端末から受信する。
【０１２７】
Ｓ５０５は、タグに付いている照明ユニットを制御して、照明命令にしたがって光を生成する。
【０１２８】
端末は、収容装置の製品を選択するユーザの操作及びそれぞれの識別子に基づいて、照明命令をスキャン装置に送信する。端末から照明命令を受信後、スキャン装置は、タグ上に付いている照明ユニットを制御して、照明命令にしたがって光を生成する。例えば、ユーザは、端末のスクリーンに表示された、タグに対応する画像をクリックし、端末は、タグの識別子及び照明命令をスキャン装置に送信して、スキャン装置に、識別子に基づいて、対応するタグを照らすように命令する。照明命令を受信後、スキャン装置は、スキャン信号を送出する。電子タグは、使用中のスキャン装置が発した一定の周波数を有する無線周波数信号によって形成された磁界でＲＦ（無線周波数）エネルギーを感知し受信する感知アンテナを用いて、電子タグを駆動し光を発させる。したがって、電子タグは、ユーザの選択操作にしたがって光を発し、タグが付けられた対応する製品をユーザが発見するのを容易にする。
【０１２９】
必要に応じて、Ｓ５０３で識別子、製品品質保証期間及び初期時間を端末に送信後、方法は、以下をさらに含む。
【０１３０】
Ｓ５０６は、対応する収容装置の製品のタグを定期的にスキャンする。
【０１３１】
Ｓ５０７は、現在のスキャンされた識別子一覧を端末に送信する。
【０１３２】
スキャン装置が現在のスキャンされた識別子一覧を端末に送信した後、端末は、履歴的に保存された識別子一覧を現在のスキャンされた識別子一覧と比較し、履歴的に保存された識別子一覧に出現しているが現在のスキャンされた識別子一覧にはない識別子（複数可）を第１のステータスとラベリングする。第１のステータスは、対応するタグ（複数可）が収容装置に存在しないことを表す。端末は、識別子（複数可）及び第１のステータスに基づいて、対応するタグ（複数可）に対するカウントダウン計算（複数可）を中止する。さらに、端末はまた、履歴的に保存された識別子一覧を現在のスキャンされた識別子一覧と比較し、履歴的に保存された識別子一覧に再出現しており、かつ第１のステータスとラベリングされている識別子（複数可）を、第２のステータスとラベリングする。第２のステータスは、対応するタグ（複数可）が収容装置内に戻されたことを表す。端末は、識別子（複数可）及び第２のステータスに基づいて、対応するタグ（複数可）に対するそれぞれのカウントダウン計算（複数可）を続行する。例えば、スキャン装置は、スキャンを定期的に行う。ユーザが製品を収容装置から取り出すと、スキャン装置は、対応するタグが収容装置に存在しないことを検出し、現在のスキャンされた識別子一覧を端末に送信する。端末は、受信した現在のスキャンされた識別子一覧と履歴的に保存された識別子一覧の比較を行い、履歴的に保存された識別子の一部が、受信した識別子に見つからないことを検出する。この場合、端末は、対応するタグを第１のステータスとラベリングし、対応するタグが収容装置に存在せずユーザによって取り出されたことを示している。対応するタグに対するカウントダウン計算は、その時点で中止されて、リソースをセーブする。現在のスキャンされた識別子一覧と履歴的に保存された識別子一覧の比較後に、第１のステータスとラベリングされた識別子が現在のスキャンされた識別子一覧に再出現した場合、このことは、そのタグが収容装置に戻されたことを示す。この場合、対応するタグに対するカウントダウン計算は続行される。このようにして、対応するタグに対するカウントダウン計算の続行または中止は、製品を収容装置から出し入れするというユーザの行為に基づいて実装される。例えば、ユーザは、食品を冷蔵庫から取り出し、その一部を食べた後で、冷蔵庫に戻す。この状況下において、食品の対応するタグに対するカウントダウン計算は中止され、または、続行される。
【０１３３】
必要に応じて、Ｓ５０３で識別子、製品品質保証期間及び初期時間を端末に送信後、方法は、以下をさらに含む。
【０１３４】
Ｓ５０８は、対応する収容装置の製品のタグを定期的にスキャンする。
【０１３５】
Ｓ５０９は、記録されたことのある識別子（複数可）がスキャン中発見されなかった場合、記録されたことのある識別子（複数可）及び第１のステータスを端末に送信する。
【０１３６】
この場合、第１のステータスは、対応するタグ（複数可）が収容装置に存在しないことを表す。識別子（複数可）及び第１のステータスの受信に応じて、端末は、記録済み識別子（複数可）を第１のステータスとラベリングする。端末は、記録済み識別子（複数可）及び第１のステータスに基づいて、対応するタグ（複数可）に対するカウントダウン計算を中止する。現在のスキャンされた識別子一覧と履歴的に保存された識別子一覧の比較を用いる手法とは異なるため、端末が比較を行う必要なしに、スキャン装置は、記録済み識別子（複数可）がスキャン中発見された場合、記録済み識別子（複数可）及び第１のステータスを端末に直接送信する。このことにより、端末の作業負荷は軽減され、ネットワークフローの消費を小さくする。
【０１３７】
必要に応じて、Ｓ５０９で記録済み識別子（複数可）及び第１のステータスを端末に送信後、方法は、以下をさらに含む。
【０１３８】
Ｓ５０１０は、記録済み識別子がスキャン中再度発見された場合、記録済み識別子及び第２のステータスを端末に送信する。
【０１３９】
この場合、第２のステータスは、そのタグが収容装置内に戻されたことを表す。識別子及び第２のステータスの受信に応じて、端末は、記録済み識別子を第２のステータスとラベリングする。端末は、記録済み識別子及び第２のステータスに基づいて、対応するタグのカウントダウン計算を続行する。同様に、第２のステータスは、スキャン装置から送信され、端末は、現在のスキャンされた識別子一覧と履歴的に保存された識別子一覧の比較を行う必要がない。したがって、端末の作業負荷は軽減され、ネットワークフローの消費を小さくする。
【０１４０】
必要に応じて、対応する収容装置の製品のタグのスキャン後、方法は、以下をさらに含む。
【０１４１】
Ｓ５０１１は、記録済み識別子がスキャン中発見されなかった場合、スキャンステータスを「更新」ステータスとラベリングする。
【０１４２】
このケースにおいて、スキャン装置が、スキャン中、記録されたことのある識別子を発見しなかった場合、このことは、対応するタグが収容装置から取り出され製品保存の状態が変わったことを示す。カウントダウン計算を中止または続行する通知を端末に行うことが必要である。この場合、スキャン装置は、スキャン装置のタグスキャンステータスを「更新」とラベリングする。端末がスキャン装置と通信及び接続を行うと、端末はまず、スキャン装置のタグスキャンステータスを検証する。タグスキャンステータスが「更新」とラベリングされている場合、端末は、スキャン装置に、更新済みデータを送信するように要求する。更新済みデータは、現在のスキャンされた識別子の、すなわち第１のステータスまたは第２のステータスとラベリングされた識別子（複数可）の一覧を含む。
【０１４３】
図６は、本出願の一態様による、端末で製品の品質保証期間をモニタリングする方法の流れ図を示す。端末で製品の品質保証期間をモニタリングする方法は、以下を含む。
【０１４４】
Ｓ６０１は、スキャン装置から送信された識別子、製品の品質保証期間及び初期時間を受信する。スキャン装置は、製品のタグをスキャンして、タグの識別子及び識別子に対応する製品の品質保証期間を取得する。識別子が新規の識別子であるとき、スキャン装置は、タグがスキャンされた初期時間を記録する。
【０１４５】
Ｓ６０２は、製品の品質保証期間及び初期時間に基づいて、品質保証期間のモニタリングを行う。
【０１４６】
タグに保存された情報は、識別子及び製品の品質保証期間を含む。タグ及び識別子（ＩＤ）は互いに対応し、識別子及び製品の品質保証期間は互いに対応する。製品の品質保証期間は、タグごとに設定される。タグは製品に付けられ、製品に対応する製品品質保証期間を規定している。スキャン装置は、製品上のタグをスキャンすると、識別子及び製品の品質保証期間を取得することができる。スキャン装置が、識別子を、記録されたことのない識別子として検出した場合、このことは、このタグが収容装置に初めて入れられたことを示す。この場合、スキャン装置は、タグがスキャンされた初期時間を記録する。次いで、スキャン装置は、識別子、製品の品質保証期間及び初期時間を端末に送信する。端末は、製品の品質保証期間及び初期時間に基づいて品質保証期間をモニタリングするのに用いられる。冷蔵庫、保存箱などであり得る収容装置は、製品を保存するのに用いられる。製品は、時間モニタリングを受ける必要がある製品を含む。例として、食べ物、薬剤、生物薬品などの品質保証期間を有する製品が挙げられる。タグは、製品に、貼付、ステープラ止めなどによって付けられ得る。スキャン装置は、ＲＦＩＤ（無線周波数識別）、２次元のスキャン、バーコードスキャン、画像認識などの方法を用いてタグをスキャンし得る。端末は、通信の実行及びコンピュータ計算が可能である装置であってもよく、携帯電話、タブレットコンピュータ、デスクトップコンピュータなどを含む。
【０１４７】
具体的には、品質保証期間をモニタリングすることは、初期時間及び識別子に対応する製品の品質保証期間に基づいて、カウントダウン計算を行うことと、カウントダウン計算の計算結果が予め設定された閾値に達すると、識別子に基づいて、タグが付けられた製品が品質保証期間に達したことをユーザにリマインドすることとを含む。
【０１４８】
具体的には、以下の式が、カウントダウン計算に用いられる。 
Ｔs＝Ｔc＋Ｌ−Ｔd
【０１４９】
Ｔsは残り時間を表し、Ｔcは初期時間を表し、Ｌは製品の品質保証期間を表し、Ｔdは現在の時間を表す。
【０１５０】
現在の時間Ｔdは、時計を用いて端末によって取得される現在の時間の情報を指す。カウントダウン計算の計算結果は、残り時間Ｔsを指す。計算から取得された残り時間Ｔsが予め設定された閾値より少なくなると、例えば１日未満になると、端末は、対応するタグが製品の品質保証期間に近接していることをユーザにリマインドする。例えば、期限切れしたタグのシリアル番号または名称を、スクリーンを介して表示する。タグの有効残り期間も表示し得る。
【０１５１】
必要に応じて、Ｓ６０２で製品の品質保証期間及び初期時間に基づいて品質保証期間のモニタリングを行った後で、方法は、以下をさらに含む。
【０１５２】
Ｓ６０３は、品質保証期間のモニタリング結果に基づいて、品質保証期間の統計一覧を生成し表示する。
【０１５３】
端末は、ユーザのクエリ操作に基づき、識別子一覧に基づく様々な識別子ベースのカウントダウンのそれぞれの計算結果、すなわちそれぞれの残り時間Ｔsを取得し、識別子と残り時間の対応一覧、すなわち品質保証期間の統計一覧を表示して、保存されている製品の品質保証期間に関連する状態をユーザが検索し把握することを容易にする。
【０１５４】
必要に応じて、端末で製品の品質保証期間をモニタリングする方法は、以下をさらに含む。
【０１５５】
Ｓ６０４は、スキャン装置と通信していない期間が、予め設定された継続時間よりも長いという検出に応じて、ユーザにプロンプトを提供する。
【０１５６】
端末は、スキャン装置に近接して設置されていなくてもよく、または、通信信号は、安定していなくてもよい。端末が、スキャン装置との通信が予め設定された期間内なされていないことを検出すると、第８のモジュール２８は、スキャン装置との接続が必要であることをユーザにリマインドし、またはユーザに警告を送信して、製品の保存状態のデータを更新する。
【０１５７】
必要に応じて、Ｓ６０１でスキャン装置から送信された識別子、製品の品質保証期間及び初期時間を受信した後で、方法は、以下をさらに含む。
【０１５８】
Ｓ６０５は、収容装置の製品を選択するユーザの操作及びその識別子に基づいて、照明命令をスキャン装置に送信する。
【０１５９】
端末から送信された照明命令の受信に応じて、スキャン装置は、タグ上に付けられた照明ユニットを制御して、照明命令にしたがって光を発する。例えば、ユーザは、端末のディスプレイに提示された、タグに対応する画像をクリックする。端末は、タグの識別子及び照明命令をスキャン装置に送信し、スキャン装置に、識別子にしたがって、対応するタグを照らすように命令する。スキャン装置は、スキャン信号を送出する。電子タグは、電子タグに光を発させるドライバとして、スキャン装置のリーダから送出された一定の周波数のＲＦ信号によって形成された磁界でＲＦ（無線周波数）電力を感知し受信する感知アンテナを用いる。このようにして、電子タグは、ユーザの選択操作に応じて光を発し、タグが付けられた対応する製品をユーザが発見するのを容易にする。
【０１６０】
必要に応じて、端末で製品の品質保証期間をモニタリングする方法は、以下をさらに含む。
【０１６１】
Ｓ６０６は、製品の品質保証期間を設定するユーザの操作に応じて、製品の品質保証期間の設定命令をエンコーダに送信する。
【０１６２】
タグは、エンコーダによって、識別子を用いて再構成される。タグが製品に付けられる前、毎回、元のタグは、以前の製品からの区別のために、新規の識別子が割り当てられるように再構成され得る。識別子がエンコーダで再構成されると、識別子に対応する製品の品質保証期間が割り当てられ得る。タグに対する製品の品質保証期間に設定の修正が必要な場合、端末は、ユーザの選択操作にしたがって、品質保証期間の設定命令をエンコーダに送信する。エンコーダは、命令にしたがって、製品の品質保証期間に対して、対応する設定を修正する。例えば、実際の製品の品質保証期間が６か月であり、タグに保存された製品の品質保証期間が３か月である場合、端末は、製品品質保証期間の設定命令をエンコーダに送信し得る。エンコーダは、タグの製品品質保証期間を３か月から６か月に修正し、次いで、タグを実際の製品のパケット上に付ける。
【０１６３】
具体的には、製品品質保証期間の設定命令は、タグの色と製品品質保証期間の対応関係を含む。
【０１６４】
タグは、様々な色で設定される。様々な色のタグは、様々な製品品質保証期間で設定され、したがって、タグに関連する製品品質保証期間をきわめて直感的に提示し、ユーザによる識別及び使用を容易にしている。様々な色のついたタグが製品品質保証期間に対して設定されるとき、端末から送信される品質保証期間の設定命令は、タグに保存された製品品質保証期間がタグの色に対応することを確実にするために、タグの色と製品品質保証期間の対応関係を含む必要もある。
【０１６５】
Ｓ６０２で製品の品質保証期間及び初期時間に基づいて品質保証期間のモニタリングを行った後で、方法は、以下をさらに含む。
【０１６６】
Ｓ６０７は、スキャン装置から送信された現在のスキャンされた識別子一覧を受信する。
【０１６７】
Ｓ６０８は、履歴的に保存された識別子一覧を現在のスキャンされた識別子一覧と比較し、履歴的に保存された識別子一覧に出現しているが現在のスキャンされた識別子一覧にはない識別子を第１のステータスとラベリングする。
【０１６８】
Ｓ６０９は、識別子及び第１のステータスに基づいて、対応するタグに対するカウントダウン計算を中止する。
【０１６９】
スキャン装置は、収容装置の製品のタグを定期的にスキャンする。ユーザが製品を収容装置から取り出すと、スキャン装置は、対応するタグが収容装置に見つからないことを検出し、現在のスキャンされた識別子一覧を端末に送信する。端末は、受信した現在のスキャンされた識別子一覧を端末に保存した履歴的に保存された識別子一覧と比較し、履歴的に保存された識別子の一部が、受信した識別子に見つからないことを発見する。この場合、対応するタグは第１のステータスとラベリングされ、対応するタグが収容装置に存在せずユーザによって取り出されたことを示している。この場合、端末は、対応するタグに対するそれぞれのカウントダウン計算を中止して、リソースをセーブする。例えば、ユーザは、冷蔵庫から食べ物を取り出す。この場合、食べ物に対応するタグに対するカウントダウン計算は中止される。
【０１７０】
必要に応じて、Ｓ６０９で識別子及び第１のステータスに基づいて対応するタグに対するカウントダウン計算を中止した後、方法は、以下をさらに含む。
【０１７１】
Ｓ６０１０は、履歴的に保存された識別子一覧を現在のスキャンされた識別子一覧と比較し、現在のスキャンされた識別子一覧に再出現しておりかつ第１のステータスとラベリングされている識別子を第２のステータスとラベリングする。
【０１７２】
Ｓ６０１１は、識別子及び第２のステータスに基づいて、対応するタグに対するカウントダウン計算を続行する。
【０１７３】
現在のスキャンされた識別子一覧を履歴的に保存された識別子一覧と比較した後で、端末は、第１のステータスと以前ラベリングされた識別子（複数可）が現在のスキャンされた識別子一覧に再出現したことを検出する。これは、それぞれのタグが収容装置に戻されたことを示している。この場合、端末は、更新後の現在の時間を用いて、それぞれのタグに対するカウントダウン計算を続行する。こうして、製品を戻すというユーザの行為に応じて、タグの対応するカウントダウン動作の続行を実装する。
【０１７４】
必要に応じて、Ｓ６０２で製品の品質保証期間及び初期時間に基づいて品質保証期間のモニタリングを行った後で、方法は、以下をさらに含む。
【０１７５】
Ｓ６０１２は、記録されたことのある識別子（複数可）及び第１のステータスをスキャン装置から受信する。
【０１７６】
Ｓ６０１３は、記録済み識別子（複数可）を第１のステータスとラベリングする。
【０１７７】
Ｓ６０１４は、記録済み識別子（複数可）及び第１のステータスに基づいて、対応するタグ（複数可）に対するカウントダウン計算（複数可）を中止する。
【０１７８】
第１のステータスは、対応するタグが収容装置に存在しないことを示す。現在のスキャンされた識別子一覧を履歴的に保存された識別子一覧と比較する方法とは異なるため、端末が一覧を比較する必要なしに、スキャン装置は、記録済み識別子（複数可）がスキャン中発見されなかった場合、記録済み識別子（複数可）及び第１のステータスを端末に直接送信する。このことにより、端末の作業負荷は軽減され、ネットワークフローの消費を小さくする。
【０１７９】
必要に応じて、記録済み識別子（複数可）及び第１のステータスに基づいて、対応するタグ（複数可）に対するカウントダウン計算（複数可）を中止した後で、方法は、以下をさらに含む。
【０１８０】
Ｓ６０１５は、スキャン装置から、記録済み識別子及び第２のステータスを受信する。
【０１８１】
Ｓ６０１６は、記録済み識別子を第２のステータスとラベリングする。
【０１８２】
Ｓ６０１７は、記録済み識別子及び第２のステータスに基づいて、対応するタグに対するカウントダウン計算を続行する。
【０１８３】
第２のステータスは、対応するタグが収容装置に戻されたことを表す。同様に、記録済み識別子がスキャンによって再度取得された場合、端末が現在のスキャンされた識別子一覧を履歴的に保存された識別子一覧と比較する必要なしに、スキャン装置は、第２のステータスを送信する。したがって、端末の作業負荷は軽減され、ネットワークフローの消費を小さくする。
【０１８４】
必要に応じて、端末で製品の品質保証期間をモニタリングする方法は、以下をさらに含む。
【０１８５】
Ｓ６０１８は、スキャン装置と通信したとき、スキャン装置のタグスキャンステータスを取得する。
【０１８６】
Ｓ６０１９は、タグスキャンステータスが「更新」ステータスであるとき、スキャン装置に、更新済みデータを送信するように要求する。
【０１８７】
スキャン装置がスキャン中、記録済み識別子を発見しなかった場合、このことは、対応するタグが取り出され、製品保存に関する状態が変わったことを示す。それぞれのカウントダウン計算を中止または続行する通知を端末に行う必要がある。この場合、スキャン装置は、タグスキャンステータスを「更新」とラベリングする。端末がスキャン装置と通信を行うと、端末はまず、スキャン装置のタグスキャンステータスを検出する。タグスキャンステータスが「更新」とラベリングされている場合、端末は、スキャン装置に、更新済みデータを送信するように要求する。更新済みデータは、現在のスキャンされた識別子、すなわち第１のステータスまたは第２のステータスとラベリングされた識別子（複数可）の一覧を含む。
【０１８８】
図７は、本出願の一態様による、エンコーダで製品の品質保証期間をモニタリングする方法の流れ図を示す。エンコーダで製品の品質保証期間をモニタリングする方法は、以下を含む。
【０１８９】
Ｓ７０１は、新規の識別子を各タグに割り当てて、スキャン装置が、製品のタグをスキャンしてタグの識別子及び識別子に対応する製品品質保証期間を取得することを可能にし、識別子が新規の識別子であるとき、スキャン装置が、タグがスキャンされた初期時間を記録することを可能にし、スキャン装置が、識別子、製品品質保証期間及び初期時間を端末に送信することを可能にし、端末が、製品品質保証期間及び初期時間に基づいて品質保証期間のモニタリングを行うことを可能にする。
【０１９０】
タグに保存された情報は、識別子及び製品の品質保証期間を含む。タグ及び識別子（ＩＤ）は互いに対応し、識別子及び製品の品質保証期間は互いに対応する。製品の品質保証期間は、タグごとに設定される。タグは製品に付けられ、製品に対応する製品品質保証期間を規定している。冷蔵庫、保存箱などであり得る収容装置は、製品を保存するのに用いられる。製品は、時間モニタリングを受ける必要がある製品を含む。例として、食べ物、薬剤、生物薬品などの品質保証期間を有する製品が挙げられる。タグは、製品に、貼付、ステープラ止めなどによって付けられ得る。スキャン装置は、ＲＦＩＤ（無線周波数識別）、２次元のスキャン、バーコードスキャン、画像認識などの方法を用いてタグをスキャンし得る。タグは、エンコーダを介して、識別子を用いて再構成される。タグが製品に付けられるときは毎回、タグはエンコーダ内に配置される。エンコーダは、以前の製品から区別するために、元のタグを、新規の識別子が提供されるように再構成する。
【０１９１】
必要に応じて、エンコーダで製品の品質保証期間をモニタリングする方法は、以下を含む。
【０１９２】
Ｓ７０２は、端末から製品品質保証期間の設定命令を受信する。
【０１９３】
Ｓ７０３は、製品品質保証期間の設定命令に基づいて、タグに対して、識別子に対応する製品品質保証期間を設定する。
【０１９４】
タグがエンコーダで再構成されるとき、タグに、その識別子に対応する製品品質保証期間が与えられ得る。タグの製品品質保証期間に構成上修正が必要な場合、端末は、ユーザの設定操作に基づいて、品質保証期間の設定命令をエンコーダに送信する。エンコーダは、この命令にしたがって、製品品質保証期間の構成に、対応する修正を行う。例えば、実際の製品の品質保証期間が６か月であり、タグに保存された製品品質保証期間が３か月である場合、端末を用いて製品品質保証期間の設定命令をエンコーダに送信して、エンコーダを、タグの製品品質保証期間を３か月から６か月に修正するように制御し得る。次いで、タグは、実際の製品のパッケージに付けられ得る。
【０１９５】
必要に応じて、少なくとも２つのタグは、異なる色を有する。異なる製品品質保証期間が、異なる色のタグに対して設定される。製品品質保証期間の設定命令は、色と製品品質保証期間の対応関係を含む。Ｓ７０３で製品品質保証期間の設定命令に基づいて、タグに対して、識別子に対応する製品品質保証期間を設定することは、具体的には、製品品質保証期間の設定命令にしたがって、タグに対して、識別子に対応する製品品質保証期間及びタグの色を設定することを含む。
【０１９６】
識別子に対応する製品品質保証期間は、製造時に電子タグでプリセットされ得る。異なる色は、異なる品質保証期間に対応する。タグは、同一の色を有する収容キャビティ内に配置されるように、収容キャビティの色に応じてエンコーダに配置される。例えば、赤のタグは、赤の収容キャビティに配置される。したがって、このことにより、ユーザは、いかなる設定もせずに、タグをきわめて便利に使用し始めることができるようになる。電子タグがエンコーダに配置されると、エンコーダは、電子タグの識別子をリフレッシュし、タグが配置された場所に応じて、製品品質保証期間をリフレッシュする。ユーザが所定の製品品質保証期間に満足しない場合、ユーザは、端末を介して、タグの色に対応する製品品質保証期間を調整することができる。
【０１９７】
図８は、本出願の一態様による、製品の品質保証期間をモニタリングする方法の流れ図を示す。方法は、以下を含む。
【０１９８】
Ｓ８０１で、エンコーダは、新規の識別子を各タグに割り当てる。
【０１９９】
タグは、エンコーダを介して、識別子を用いて再構成される。タグが製品に付けられるときは毎回、タグはエンコーダ内に配置される。エンコーダは、以前の製品から区別するために、元のタグを、新規の識別子が提供されるように再構成する。
【０２００】
必要に応じて、方法は、以下をさらに含む。
【０２０１】
Ｓ８０２で、端末は、製品の品質保証期間を設定するユーザの操作にしたがって、製品の品質保証期間の設定命令をエンコーダに送信する。
【０２０２】
Ｓ８０３で、エンコーダは、製品品質保証期間の設定命令に基づいて、タグに対して、識別子に対応する製品品質保証期間を設定する。
【０２０３】
タグがエンコーダで再構成されるとき、タグに、その識別子に対応する製品品質保証期間が与えられ得る。タグの製品品質保証期間に構成上修正が必要な場合、端末は、ユーザの設定操作に応じて、品質保証期間の設定命令をエンコーダに送信する。エンコーダは、この命令にしたがって、製品品質保証期間の構成に、対応する修正を行う。
【０２０４】
必要に応じて、少なくとも２つのタグは、異なる色を有する。異なる製品品質保証期間が、異なる色のタグに対して設定される。製品品質保証期間の設定命令は、色と製品品質保証期間の対応関係を含む。エンコーダは、製品品質保証期間の設定命令にしたがって、タグに対して、識別子に対応する製品品質保証期間及びタグの色を設定する。
【０２０５】
タグは、異なる色で設定される。異なる色のタグは、異なる製品品質保証期間で設定され、したがって、タグに関連する製品品質保証期間をきわめて直感的に提示し、ユーザによる識別及び使用を容易にしている。様々な色のタグを、製品品質保証期間を用いて構成するとき、製品品質保証期間の設定命令は、タグに保存された製品品質保証期間がタグの色と矛盾しないことを確実にするために、タグの色と製品品質保証期間の対応関係を含む必要がさらにある。
【０２０６】
必要に応じて、方法は、以下をさらに含む。
【０２０７】
Ｓ８０４で、スキャン装置は、製品のタグをスキャンして、タグの識別子及び識別子に対応する製品品質保証期間を取得する。
【０２０８】
Ｓ８０５で、スキャン装置は、識別子が新規の識別子であることに応じて、タグがスキャンされた初期時間を記録する。
【０２０９】
Ｓ８０６で、スキャン装置は、識別子、製品品質保証期間及び初期時間を端末に送信する。
【０２１０】
Ｓ８０７で、端末は、製品品質保証期間及び初期時間に基づいて、品質保証期間をモニタリングする。
【０２１１】
具体的には、端末は、初期時間及び識別子に対応する製品品質保証期間に基づいて、カウントダウン計算を行う。カウントダウン計算の計算結果が所定の閾値に達すると、端末は、識別子に基づいて、タグが付けられた製品が品質保証期間に達したことをユーザにリマインドする。以下の式が、カウントダウン計算に用いられる。
Ｔs＝Ｔc＋Ｌ−Ｔd
【０２１２】
Ｔsは残り時間を表し、Ｔcは初期時間を表し、Ｌは製品の品質保証期間を表し、Ｔdは現在の時間を表す。
【０２１３】
必要に応じて、方法は、以下をさらに含む。
【０２１４】
Ｓ８０８で、端末は、品質保証期間のモニタリング結果に基づいて、品質保証期間の統計一覧を生成し表示する。
【０２１５】
端末は、ユーザのクエリ操作に基づいて、識別子一覧に基づく様々な識別子ベースのカウントダウンのそれぞれの計算結果、すなわちそれぞれの残り時間Ｔsを取得し、識別子と残り時間の対応一覧、すなわち品質保証期間の統計一覧を表示して、製品の品質保証期間に関連する状態をユーザが検索し把握することを容易にする。
【０２１６】
必要に応じて、方法は、以下をさらに含む。
【０２１７】
Ｓ８０９で、端末は、スキャン装置と通信していない期間が、予め設定された継続時間より長いという検出に応じて、ユーザにプロンプトを提供する。
【０２１８】
端末は、スキャン装置に近接して設置されていなくてもよく、または、通信信号は安定していなくてもよい。端末が、スキャン装置との通信が予め設定された期間内なされていないことを検出すると、端末は、スキャン装置への接続が必要であることをユーザにリマインドし、またはユーザに警告を送信して、データを更新する。
【０２１９】
必要に応じて、方法は、以下をさらに含む。
【０２２０】
Ｓ８０１０で、端末は、収容装置の製品を選択するユーザの操作及びその識別子に基づいて、照明命令をスキャン装置に送信する。
【０２２１】
Ｓ８０１１で、スキャン装置は、タグに付けられた照明ユニットを制御して、照明命令にしたがって光を生成する。
【０２２２】
ユーザは、端末のスクリーンに表示された、タグに対応する画像をクリックし、端末は、タグの識別子及び照明命令をスキャンモジュールに送信する。スキャンモジュールは、スキャン信号を制御し送出する。電子タグは、使用中のスキャン装置が発した一定の周波数を有する無線周波数信号によって形成された磁界でＲＦ（無線周波数）エネルギーを感知し受信する感知アンテナを用いて、電子タグを駆動し光を発させる。したがって、電子タグは、ユーザの選択操作に応じて光を発し、タグが付けられた対応する製品をユーザが発見するのを容易にする。
【０２２３】
必要に応じて、方法は、以下をさらに含む。
【０２２４】
Ｓ８０１２で、スキャン装置は、対応する収容装置内の製品のタグを定期的にスキャンする。
【０２２５】
Ｓ８０１３で、スキャン装置は、記録済み識別子がスキャン中見つからなかった場合、タグスキャンステータスを、「更新」ステータスとラベリングする。
【０２２６】
Ｓ８０１４で、タグスキャンステータスが「更新」ステータスである場合、端末は、スキャン装置に、更新済みデータを送信するように要求する。
【０２２７】
スキャン装置がスキャン中、記録済み識別子を発見しなかった場合、このことは、対応するタグが取り出され製品保存に関する状態が変わったことを示す。それぞれのカウントダウン計算を中止または続行する通知を端末に行う必要がある。この場合、スキャン装置は、タグスキャンステータスを「更新」とラベリングする。端末がスキャン装置と通信を行うと、端末はまず、スキャン装置のタグスキャンステータスを検出する。タグスキャンステータスが「更新」とラベリングされている場合、端末は、スキャン装置に、更新済みデータを送信するように要求する。更新済みデータは、現在のスキャンされた識別子の、すなわち第１のステータスまたは第２のステータスとラベリングされた識別子（複数可）の一覧を含む。
【０２２８】
Ｓ８０１５で、スキャン装置は、現在のスキャンされた識別子一覧を端末に送信する。
【０２２９】
Ｓ８０１６で、端末は、履歴的に保存された識別子一覧を現在のスキャンされた識別子一覧と比較し、履歴的に保存された識別子一覧に出現しているが現在のスキャンされた識別子一覧にはない識別子（複数可）を第１のステータスとラベリングし、現在のスキャンされた識別子一覧に再出現しておりかつ第１のステータスとラベリングされた識別子（複数可）を第２のステータスとラベリングする。
【０２３０】
Ｓ８０１７で、端末は、識別子（複数可）及び第１のステータスに基づいて、対応するタグに対して、それぞれのカウントダウン計算（複数可）を中止し、識別子（複数可）及び第２のステータスに基づいて、対応するタグに対するそれぞれのカウントダウン計算（複数可）を続行する。
【０２３１】
第１のステータスは、対応するタグが収容装置に存在しないことを表す。第２のステータスは、対応するタグが収容装置に戻されたことを表す。このことにより、ユーザによる製品を出し入れするという行為に基づいて、対応するタグに対するカウントダウン計算の中止または続行を実装する。
【０２３２】
必要に応じて、方法は、以下をさらに含む。
【０２３３】
Ｓ８０１８で、記録済み識別子がスキャン中発見されなかった場合、スキャン装置は、記録済み識別子及び第１のステータスを送信する。
【０２３４】
Ｓ８０１９で、端末は、記録済み識別子を第１のステータスとラベリングする。
【０２３５】
Ｓ８０２０で、記録済み識別子がスキャン中再度発見された場合、スキャン装置は、記録済み識別子及び第２のステータスを送信する。
【０２３６】
Ｓ８０２１で、端末は、記録済み識別子を第２のステータスとラベリングする。
【０２３７】
Ｓ８０２２で、端末は、記録済み識別子及び第１のステータスに基づいて、対応するタグに対するカウントダウン計算を中止し、または、記録済み識別子及び第２のステータスに基づいて、対応するタグに対するカウントダウン計算を続行する。
【０２３８】
第１のステータスは、対応するタグが収容装置に存在しないことを表す。第２のステータスは、対応するタグが収容装置に戻されたことを表す。現在のスキャンされた識別子一覧と履歴的に保存された識別子一覧の比較を行う方法とは異なるため、端末が比較を行う必要なしに、スキャン装置は、記録済み識別子及び第１のステータスまたは第２のステータスを直接端末に送信する。このようにして、端末の作業負荷は軽減され、ネットワークフローの消費を小さくする。
【０２３９】
本出願は、上記のような例示的な実施形態の詳細に限定されるものでないことは、当業者にとって明らかである。本出願は、本出願の精神及び基本的特徴から逸脱することなしに、他の形式で実装することができる。したがって、いかなる観点かを問わず、実施形態は例示的なもので、限定するものではないとみなされる。本出願の範囲の定義は、添付の特許請求の範囲によるものであり、上記の説明によるものではない。したがって、添付の特許請求の範囲と等価な意味及び範囲を有する全ての変形例が本出願によって包含されよう。添付の特許請求の範囲における図面のラベルは、対応する添付の特許請求の範囲に対する限定として解釈されるべきではない。さらに、「ｉｎｃｌｕｄｉｎｇ（含む）」という用語は、明らかに、他のユニットまたは行為を除外するものではなく、単数は、複数を除外するものではない。添付の装置クレームに記載された複数のユニットまたは装置は、ソフトウェアまたはハードウェアコンポネントを用いて単一のユニットまたは装置によって実装することができる。第１の、第２のなどの用語は、名称を表すのに用いられるものであり、何らかの特定の順序を示すものではない。
【図１】
2018527539.tif 000003
【図２】
2018527539.tif 000004
【図３】
2018527539.tif 000005
【図４】
2018527539.tif 000006
【図５】
2018527539.tif 000007
【図６】
2018527539.tif 000008
【図７】
2018527539.tif 000009
【図８】
2018527539.tif 000010
【国際調査報告】
2018527539.tif 000011
2018527539.tif 000012
2018527539.tif 000013
2018527539.tif 000014